(57)【要約】  本願は、無線通信分野に関し、特に、無線通信システムにおけるリソース指示のために使用される通信方法、機器、及びシステムに関する。当該方法では、ネットワーク装置は複数のリソースブロックを決定し、前記複数のリソースブロックは端末装置のためであり、前記ネットワーク装置はリソース指示情報を前記端末装置へ送信し、前記リソース指示情報は前記複数のリソースブロックを示し、前記端末装置は、前記リソース指示情報を取得し、前記複数のリソースブロックのインデックス情報を決定し、前記複数のリソースブロックの前記インデックス情報は、共通インデックス領域の中のリソースブロックインデックスに基づき決定され、又は域幅部分の中のリソースブロックインデックスに基づき決定される。当該方法により、前記ネットワーク装置は、アップリンク又はダウンリンクリソースを前記端末装置に効率的に割り当てる又は再割り当てすることができ、それにより、ネットワークシステムの通信効率を向上する。
2021502758.tif 000002
【特許請求の範囲】
【請求項１】
通信方法であって、
リソース指示情報を取得するステップであって、前記リソース指示情報は、制御リソースセットの中の周波数ドメインリソースを示すために使用され、前記リソース指示情報はＳ個のビットを含み、Ｓは正整数であり、前記Ｓ個のビットの中の最上位ビットＭＳＢは、リソースブロックセットが前記制御リソースセットの中の前記周波数ドメインリソースに属するか否かを示すために使用され、前記リソースブロックセットに含まれるリソースブロックの数はｍであり、前記リソースブロックセットは帯域幅部分ＢＷＰの先頭リソースブロックから開始するｍ個の連続するリソースブロックであり、又は前記リソースブロックセットは、ＢＷＰの先頭リソースブロックから開始するｎ個の連続するリソースブロックに隣接するｍ個のリソースブロックであり、ｎ＜ｍである、ステップと、
前記リソース指示情報に基づき、前記制御リソースセットの中の前記周波数ドメインリソースを決定するステップと、
を含む方法。
【請求項２】
ｎはｍ−ｙ２に等しく、ｙ２は第２オフセットｍｏｄ  ｍに等しく、ｙ２は０に等しくなく、前記第２オフセットは、共通インデックス領域の先頭リソースブロックと前記帯域幅部分ＢＷＰの前記先頭リソースブロックとの間のオフセットである、請求項１に記載の方法。
【請求項３】
前記共通インデックス領域は、１つ以上のＢＷＰを更に含む、請求項２に記載の方法。
【請求項４】
前記Ｓ個のビットの中の前記最上位ビット以外の第２最上位ビットは、ｍ個の連続するリソースブロックが前記制御リソースセットの中の前記周波数ドメインリソースに属するか否かを示すために使用され、前記ｍ個の連続するリソースブロックは前記Ｓ個のビットの中の前記最上位ビットにより示されるｍ個のリソースブロックに隣接し、Ｓ＞１である、請求項１乃至３のいずれか一項に記載の方法。
【請求項５】
前記リソースブロックＲＢセットが前記帯域幅部分ＢＷＰの前記先頭リソースブロックから開始する前記ｍ個の連続するリソースブロックであるとき、Ｓは
【数１】
2021502758.tif 000030
又は、前記リソースブロックＲＢセットが前記帯域幅部分ＢＷＰの前記先頭リソースブロックから開始する前記ｎ個の連続するリソースブロックに隣接する前記ｍ個のリソースブロックであるとき、Ｓは
【数２】
2021502758.tif 000031
ここで、
【数３】
2021502758.tif 000032
は切り捨てを示し、Ｘ２は前記帯域幅部分ＢＷＰの中のリソースブロックの数である、請求項１乃至４のいずれか一項に記載の方法。
【請求項６】
前記リソース指示情報はビットマップである、請求項１乃至５のいずれか一項に記載の方法。
【請求項７】
ｍは６に等しい、請求項１乃至６のいずれか一項に記載の方法。
【請求項８】
前記制御リソースセットの中の前記周波数ドメインリソースは、複数のリソースブロックであり、
前記リソース指示情報に基づき、前記制御リソースセットの中の前記周波数ドメインリソースを決定する前記ステップは、
前記リソース指示情報に基づき、前記複数のリソースブロックのインデックス情報を決定するステップを含む、請求項１乃至７のいずれか一項に記載の方法。
【請求項９】
前記Ｓ個のビットの各々は、前記帯域幅部分ＢＷＰの中のリソースブロックセットが前記制御リソースセットの中の前記周波数ドメインリソースに属するか否かを示すために使用される、請求項１乃至８のいずれか一項に記載の方法。
【請求項１０】
無線機器であって、１つ以上のプロセッサとメモリとを含み、前記メモリはコンピュータプログラムを格納し、前記メモリに格納された前記コンピュータプログラムを実行すると、前記プロセッサは以下のステップ：
リソース指示情報を取得するステップであって、前記リソース指示情報は、制御リソースセットの中の周波数ドメインリソースを示す、ステップと、
前記リソース指示情報に基づき、前記制御リソースセットの中の前記周波数ドメインリソースを決定するステップと、
を実行し、
前記リソース指示情報はＳ個のビットを含み、前記Ｓ個のビットの中の最上位ビットＭＳＢは、リソースブロックセットが前記制御リソースセットの中の前記周波数ドメインリソースに属するか否かを示すために使用され、前記リソースブロックセットに含まれるリソースブロックの数はｍであり、Ｓは正整数であり、前記リソースブロックセットは帯域幅部分ＢＷＰの先頭リソースブロックから開始するｍ個の連続するリソースブロックであり、又は前記リソースブロックＲＢセットは、帯域幅部分ＢＷＰの先頭リソースブロックから開始するｎ個の連続するリソースブロックに隣接するｍ個のリソースブロックであり、ｎ＜ｍである、機器。
【請求項１１】
ｎはｍ−ｙ２に等しく、ｙ２は第２オフセットｍｏｄ  ｍの値に等しく、ｙ２は０に等しくなく、前記第２オフセットは、共通インデックス領域の先頭リソースブロックと前記帯域幅部分ＢＷＰの前記先頭リソースブロックとの間のオフセットである、請求項１０に記載の機器。
【請求項１２】
前記共通インデックス領域は、１つ以上のＢＷＰを更に含む、請求項１１に記載の機器。
【請求項１３】
前記Ｓ個のビットの中の前記最上位ビット以外の第２最上位ビットは、ｍ個の連続するリソースブロックが前記制御リソースセットの中の前記周波数ドメインリソースであるか否かを示すために使用され、前記ｍ個の連続するリソースブロックは前記Ｓ個のビットの中の前記最上位ビットにより示されるｍ個のリソースブロックに隣接し、Ｓ＞１である、請求項１０乃至１２のいずれか一項に記載の機器。
【請求項１４】
前記リソースブロックＲＢセットが前記帯域幅部分ＢＷＰの前記先頭リソースブロックから開始する前記ｍ個の連続するリソースブロックであるとき、Ｓは
【数４】
2021502758.tif 000033
又は、前記リソースブロックＲＢセットが前記帯域幅部分ＢＷＰの前記先頭リソースブロックから開始する前記ｎ個の連続するリソースブロックに隣接する前記ｍ個のリソースブロックであるとき、Ｓは
【数５】
2021502758.tif 000034
ここで、
【数６】
2021502758.tif 000035
は切り捨てを示し、Ｘ２は前記帯域幅部分ＢＷＰの中のリソースブロックの数である、請求項１０乃至１３のいずれか一項に記載の機器。
【請求項１５】
前記リソース指示情報はビットマップである、請求項１０乃至１４のいずれか一項に記載の機器。
【請求項１６】
ｍは６に等しい、請求項１０乃至１５に記載の機器。
【請求項１７】
前記制御リソースセットの中の前記周波数ドメインリソースは、複数のリソースブロックであり、
前記ステップは、前記リソース指示情報に基づき、前記複数のリソースブロックのインデックス情報を決定するステップを更に含む、請求項１０乃至１６に記載の機器。
【請求項１８】
前記Ｓ個のビットの各々は、前記帯域幅部分ＢＷＰの中のリソースブロックセットが前記制御リソースセットの中の前記周波数ドメインリソースであるか否かを示すために使用される、請求項１０乃至１７のいずれか一項に記載の方法。
【請求項１９】
通信方法であって、
ネットワーク装置により、制御リソースセットの中の周波数ドメインリソースを決定するステップと、
前記ネットワーク装置により、リソース指示情報を端末装置へ送信するステップであって、前記リソース指示情報は前記制御リソースセットの中の前記周波数ドメインリソースを示すために使用され、前記リソース指示情報はＳ個のビットを含み、Ｓは正整数であり、前記Ｓ個のビットの中の最上位ビットＭＳＢは、リソースブロックセットが前記制御リソースセットの中の前記周波数ドメインリソースに属するか否かを示すために使用され、前記リソースブロックセットに含まれるリソースブロックの数はｍであり、前記リソースブロックセットは帯域幅部分ＢＷＰの先頭リソースブロックから開始するｍ個の連続するリソースブロックであり、又は前記リソースブロックＲＢセットは、帯域幅部分ＢＷＰの先頭リソースブロックから開始するｎ個の連続するリソースブロックに隣接するｍ個のリソースブロックであり、ｎ＜ｍである、ステップと、
を含む方法。
【請求項２０】
ｎはｍ−ｙ２に等しく、ｙ２は第２オフセットｍｏｄ  ｍの値に等しく、ｙ２は０に等しくなく、前記第２オフセットは、共通インデックス領域の先頭リソースブロックと前記帯域幅部分ＢＷＰの前記先頭リソースブロックとの間のオフセットである、請求項１９に記載の方法。
【請求項２１】
前記共通インデックス領域は、１つ以上のＢＷＰを更に含む、請求項２０に記載の方法。
【請求項２２】
前記Ｓ個のビットの中の前記最上位ビット以外の第２最上位ビットは、ｍ個の連続するリソースブロックが前記制御リソースセットの中の前記周波数ドメインリソースであるか否かを示すために使用され、前記ｍ個の連続するリソースブロックは前記Ｓ個のビットの中の前記最上位ビットにより示されるｍ個のリソースブロックに隣接し、Ｓ＞１である、請求項１９乃至２１のいずれか一項に記載の方法。
【請求項２３】
前記リソースブロックＲＢセットが前記帯域幅部分ＢＷＰの前記先頭リソースブロックから開始する前記ｍ個の連続するリソースブロックであるとき、Ｓは
【数７】
2021502758.tif 000036
又は、前記リソースブロックＲＢセットが前記帯域幅部分ＢＷＰの前記先頭リソースブロックから開始する前記ｎ個の連続するリソースブロックに隣接する前記ｍ個のリソースブロックであるとき、Ｓは
【数８】
2021502758.tif 000037
ここで、
【数９】
2021502758.tif 000038
は切り捨てを示し、Ｘ２は前記帯域幅部分ＢＷＰの中のリソースブロックの数である、請求項１９乃至２２のいずれか一項に記載の方法。
【請求項２４】
前記リソース指示情報はビットマップである、請求項１９乃至２３のいずれか一項に記載の方法。
【請求項２５】
ｍは６に等しい、請求項１９乃至２４のいずれか一項に記載の方法。
【請求項２６】
前記Ｓ個のビットの各々は、前記帯域幅部分ＢＷＰの中のリソースブロックセットが前記制御リソースセットの中の前記周波数ドメインリソースであるか否かを示すために使用される、請求項１９乃至２５のいずれか一項に記載の方法。
【請求項２７】
無線機器であって、１つ以上のプロセッサとメモリとを含み、前記メモリはコンピュータプログラムを格納し、前記メモリに格納された前記コンピュータプログラムを実行すると、前記プロセッサは以下のステップ：
制御リソースセットの中の周波数ドメインリソースを決定するステップと、
リソース指示情報を端末装置へ送信するステップであって、前記リソース指示情報は、前記制御リソースセットの中の前記周波数ドメインリソースを示すために使用される、ステップと、
を実行し、
前記リソース指示情報はＳ個のビットを含み、Ｓは正整数であり、前記Ｓ個のビットの中の最上位ビットＭＳＢは、リソースブロックセットが前記制御リソースセットの中の前記周波数ドメインリソースに属するか否かを示すために使用され、前記リソースブロックセットに含まれるリソースブロックの数はｍであり、前記リソースブロックセットは帯域幅部分ＢＷＰの先頭リソースブロックから開始するｍ個の連続するリソースブロックであり、又は前記リソースブロックＲＢセットは、帯域幅部分ＢＷＰの先頭リソースブロックから開始するｎ個の連続するリソースブロックに隣接するｍ個のリソースブロックであり、ｎ＜ｍである、機器。
【請求項２８】
ｎはｍ−ｙ２に等しく、ｙ２は第２オフセットｍｏｄ  ｍの値に等しく、ｙ２は０に等しくなく、前記第２オフセットは、共通インデックス領域の先頭リソースブロックと前記帯域幅部分ＢＷＰの前記先頭リソースブロックとの間のオフセットである、請求項２７に記載の機器。
【請求項２９】
前記共通インデックス領域は、１つ以上のＢＷＰを更に含む、請求項２７又は２８に記載の機器。
【請求項３０】
前記Ｓ個のビットの中の前記最上位ビット以外の第２最上位ビットは、ｍ個の連続するリソースブロックが前記制御リソースセットの中の前記周波数ドメインリソースであるか否かを示すために使用され、前記ｍ個の連続するリソースブロックは前記Ｓ個のビットの中の前記最上位ビットにより示されるｍ個のリソースブロックに隣接し、Ｓ＞１である、請求項２７乃至２９のいずれか一項に記載の機器。
【請求項３１】
前記リソースブロックＲＢセットが前記帯域幅部分ＢＷＰの前記先頭リソースブロックから開始する前記ｍ個の連続するリソースブロックであるとき、Ｓは
【数１０】
2021502758.tif 000039
又は、前記リソースブロックＲＢセットが前記帯域幅部分ＢＷＰの前記先頭リソースブロックから開始する前記ｎ個の連続するリソースブロックに隣接する前記ｍ個のリソースブロックであるとき、Ｓは
【数１１】
2021502758.tif 000040
ここで、
【数１２】
2021502758.tif 000041
は切り捨てを示し、Ｘ２は前記帯域幅部分ＢＷＰの中のリソースブロックの数である、請求項２７乃至３０のいずれか一項に記載の機器。
【請求項３２】
前記リソース指示情報はビットマップである、請求項２７乃至３１のいずれか一項に記載の機器。
【請求項３３】
ｍは６に等しい、請求項２７乃至３２のいずれか一項に記載の機器。
【請求項３４】
前記Ｓ個のビットの各々は、前記帯域幅部分ＢＷＰの中のリソースブロックセットが前記制御リソースセットの中の前記周波数ドメインリソースであるか否かを示すために使用される、請求項２７乃至３３のいずれか一項に記載の方法。
【請求項３５】
通信方法であって、
端末装置により、リソース指示情報を取得するステップであって、前記リソース指示情報は前記端末装置のデータチャネルの周波数ドメインリソースを示すために使用され、前記リソース指示情報はＳ個のビットを含み、Ｓは正整数であり、前記データチャネルは物理アップリンク共有チャネル又は物理ダウンリンク共有チャネルであり、前記Ｓ個のビットの中の最上位ビットＭＳＢは、リソースブロックセットが前記データチャネルの前記周波数ドメインリソースに属するか否かを示すために使用され、前記リソースブロックセットは帯域幅部分ＢＷＰの先頭リソースブロックから開始するｎ個の連続するリソースブロックであり、ｎはｍ以下であり、ｍは前記ＢＷＰの帯域幅に対応するリソースブロックグループＲＢＧのサイズである、ステップと、
前記端末装置により、前記リソース指示情報に基づき、前記データチャネルの前記周波数ドメインリソースを決定するステップと、
を含む方法。
【請求項３６】
ｎはｍ−ｙ２に等しく、ｙ２は第２オフセットｍｏｄ  ｍの値に等しく、前記第２オフセットは、共通インデックス領域の先頭リソースブロックと前記帯域幅部分ＢＷＰの前記先頭リソースブロックとの間のオフセットである、請求項３５に記載の方法。
【請求項３７】
前記共通インデックス領域は、１つ以上のＢＷＰを更に含む、請求項３６に記載の方法。
【請求項３８】
前記Ｓ個のビットの中の前記最上位ビット以外の第２最上位ビットは、ｍ個の連続するリソースブロックが前記端末装置のためであるか否かを示すために使用され、前記ｍ個の連続するリソースブロックは前記Ｓ個のビットの中の前記ＭＳＢにより示されるｎ個の連続するリソースブロックに隣接し、Ｓは１より大きい、請求項３５乃至３７のいずれか一項に記載の方法。
【請求項３９】
Ｓは
【数１３】
2021502758.tif 000042
【数１４】
2021502758.tif 000043
は切り上げを示し、Ｘ２は前記帯域幅部分ＢＷＰの中のリソースブロックの数である、請求項３５乃至３８のいずれか一項に記載の方法。
【請求項４０】
前記リソース指示情報はビットマップｂｉｔｍａｐである、請求項３５乃至３９のいずれか一項に記載の方法。
【請求項４１】
ｍは２、４、又は８に等しい、請求項３５乃至４０のいずれか一項に記載の方法。
【請求項４２】
前記データチャネルの前記周波数ドメインリソースは複数のリソースブロックである、請求項３４乃至４１のいずれか一項に記載の方法。
【請求項４３】
前記端末装置により、前記リソース指示情報に基づき、前記データチャネルの前記周波数ドメインリソースを決定する前記ステップは、
前記端末装置により、前記リソース指示情報に基づき、前記複数のリソースブロックのインデックス情報を決定するステップを含む、請求項４２に記載の方法。
【請求項４４】
無線機器であって、１つ以上のプロセッサとメモリとを含み、前記メモリはコンピュータプログラムを格納し、前記メモリに格納された前記コンピュータプログラムを実行すると、前記プロセッサは以下のステップ：
リソース指示情報を取得するステップであって、前記リソース指示情報は端末装置のデータチャネルの周波数ドメインリソースを示すために使用され、前記リソース指示情報はＳ個のビットを含み、Ｓは正整数であり、前記データチャネルは物理アップリンク共有チャネル又は物理ダウンリンク共有チャネルである、ステップと、
前記データチャネルの前記周波数ドメインリソースを決定するステップであって、前記Ｓ個のビットの中の最上位ビットＭＳＢは、リソースブロックセットが前記データチャネルの前記周波数ドメインリソースに属するか否かを示すために使用され、前記リソースブロックセットは帯域幅部分ＢＷＰの先頭リソースブロックから開始するｎ個の連続するリソースブロックであり、ｎはｍ以下であり、ｍは前記ＢＷＰの帯域幅に対応するリソースブロックグループＲＢＧのサイズである、ステップと、
を実行する、機器。
【請求項４５】
ｎはｍ−ｙ２に等しく、ｙ２は第２オフセットｍｏｄ  ｍの値に等しく、前記第２オフセットは、共通インデックス領域の先頭リソースブロックと前記帯域幅部分ＢＷＰの前記先頭リソースブロックとの間のオフセットである、請求項４４に記載の機器。
【請求項４６】
前記Ｓ個のビットの中の前記最上位ビット以外の第２最上位ビットは、ｍ個の連続するリソースブロックが前記端末装置のためであるか否かを示すために使用され、前記ｍ個の連続するリソースブロックは前記Ｓ個のビットの中の前記ＭＳＢにより示されるｎ個の連続するリソースブロックに隣接し、Ｓは１より大きい、請求項４４又は４５に記載の機器。
【請求項４７】
前記共通インデックス領域は、１つ以上のＢＷＰを更に含む、請求項４６に記載の機器。
【請求項４８】
Ｓは
【数１５】
2021502758.tif 000044
【数１６】
2021502758.tif 000045
は切り上げを示し、Ｘ２は前記帯域幅部分ＢＷＰの中のリソースブロックの数である、請求項４４乃至４７のいずれか一項に記載の機器。
【請求項４９】
前記リソース指示情報はビットマップｂｉｔｍａｐである、請求項４４乃至４８のいずれか一項に記載の機器。
【請求項５０】
ｍは２、４、又は８に等しい、請求項４４乃至４９のいずれか一項に記載の機器。
【請求項５１】
前記データチャネルの前記周波数ドメインリソースは複数のリソースブロックである、請求項４４乃至５０のいずれか一項に記載の機器。
【請求項５２】
前記プロセッサは、前記複数のリソースブロックのインデックス情報を決定するよう構成される、請求項５１に記載の機器。
【請求項５３】
通信方法であって、
ネットワーク装置により、データチャネルの周波数ドメインリソースを決定するステップと、
前記ネットワーク装置により、端末装置へリソース指示情報を送信するステップであって、前記指示情報は前記データチャネルの前記周波数ドメインリソースを示すために使用される、ステップと、
を含み、
前記リソース指示情報はＳ個のビットを含み、Ｓは正整数であり、前記データチャネルは物理アップリンク共有チャネル又は物理ダウンリンク共有チャネルであり、前記Ｓ個のビットの中の最上位ビットＭＳＢは、リソースブロックセットが前記データチャネルの前記周波数ドメインリソースに属するか否かを示すために使用され、前記リソースブロックセットは帯域幅部分ＢＷＰの先頭リソースブロックから開始するｎ個の連続するリソースブロックであり、ｎはｍ以下であり、ｍは前記ＢＷＰの帯域幅に対応するリソースブロックグループＲＢＧのサイズである、方法。
【請求項５４】
ｎはｍ−ｙ２に等しく、ｙ２は第２オフセットｍｏｄ  ｍの値に等しく、前記第２オフセットは、共通インデックス領域の先頭リソースブロックと前記帯域幅部分ＢＷＰの前記先頭リソースブロックとの間のオフセットである、請求項５３に記載の方法。
【請求項５５】
前記共通インデックス領域は、１つ以上のＢＷＰを更に含む、請求項５４に記載の方法。
【請求項５６】
前記Ｓ個のビットの中の前記最上位ビット以外の第２最上位ビットは、ｍ個の連続するリソースブロックが前記端末装置のためであるか否かを示すために使用され、前記ｍ個の連続するリソースブロックは前記Ｓ個のビットの中の前記ＭＳＢにより示されるｎ個の連続するリソースブロックに隣接し、Ｓは１より大きい、請求項５３乃至５５のいずれか一項に記載の方法。
【請求項５７】
Ｓは
【数１７】
2021502758.tif 000046
【数１８】
2021502758.tif 000047
は切り上げを示し、Ｘ２は前記帯域幅部分ＢＷＰの中のリソースブロックの数である、請求項５３乃至５６のいずれか一項に記載の方法。
【請求項５８】
前記リソース指示情報はビットマップｂｉｔｍａｐである、請求項５３乃至５７のいずれか一項に記載の方法。
【請求項５９】
ｍは２、４、又は８に等しい、請求項５３乃至５８のいずれか一項に記載の方法。
【請求項６０】
前記データチャネルの前記周波数ドメインリソースは複数のリソースブロックである、請求項５３乃至５９のいずれか一項に記載の方法。
【請求項６１】
無線機器であって、１つ以上のプロセッサとメモリとを含み、前記メモリはコンピュータプログラムを格納し、前記メモリに格納された前記コンピュータプログラムを実行すると、前記プロセッサは以下のステップ：
データチャネルの周波数ドメインリソースを決定するステップと、
端末装置へリソース指示情報を送信するステップであって、前記指示情報は前記データチャネルの前記周波数ドメインリソースを示すために使用される、ステップと、
を実行し、
前記リソース指示情報はＳ個のビットを含み、Ｓは正整数であり、前記データチャネルは物理アップリンク共有チャネル又は物理ダウンリンク共有チャネルであり、前記Ｓ個のビットの中の最上位ビットＭＳＢは、リソースブロックセットが前記データチャネルの前記周波数ドメインリソースに属するか否かを示すために使用され、前記リソースブロックセットは帯域幅部分ＢＷＰの先頭リソースブロックから開始するｎ個の連続するリソースブロックであり、ｎはｍ以下であり、ｍは前記ＢＷＰの帯域幅に対応するリソースブロックグループＲＢＧのサイズである、機器。
【請求項６２】
ｎはｍ−ｙ２に等しく、ｙ２は第２オフセットｍｏｄ  ｍの値に等しく、前記第２オフセットは、共通インデックス領域の先頭リソースブロックと前記帯域幅部分ＢＷＰの前記先頭リソースブロックとの間のオフセットである、請求項６１に記載の機器。
【請求項６３】
前記共通インデックス領域は、１つ以上のＢＷＰを更に含む、請求項６２に記載の機器。
【請求項６４】
前記Ｓ個のビットの中の前記最上位ビット以外の第２最上位ビットは、ｍ個の連続するリソースブロックが前記端末装置のためであるか否かを示すために使用され、前記ｍ個の連続するリソースブロックは前記Ｓ個のビットの中の前記ＭＳＢにより示されるｎ個の連続するリソースブロックに隣接し、Ｓは１より大きい、請求項６１乃至６３のいずれか一項に記載の機器。
【請求項６５】
Ｓは
【数１９】
2021502758.tif 000048
【数２０】
2021502758.tif 000049
は切り上げを示し、Ｘ２は前記帯域幅部分ＢＷＰの中のリソースブロックの数である、請求項６１乃至６４のいずれか一項に記載の機器。
【請求項６６】
前記リソース指示情報はビットマップｂｉｔｍａｐである、請求項６１乃至６５のいずれか一項に記載の機器。
【請求項６７】
ｍは２、４、又は８に等しい、請求項６１乃至６６のいずれか一項に記載の機器。
【請求項６８】
前記データチャネルの前記周波数ドメインリソースは複数のリソースブロックである、請求項５２乃至５９のいずれか一項に記載の機器。
【請求項６９】
通信方法であって、
端末装置により、リソース指示情報を取得するステップであって、前記リソース指示情報は前記端末装置のための複数のリソースブロックを示すために使用される、ステップと、
前記端末装置により、前記複数のリソースブロックのインデックス情報を決定するステップと、
を含む方法。
【請求項７０】
前記リソース指示情報はＳ個のビットを含み、前記Ｓ個のビットの各々は、少なくとも１つのリソースブロックが前記端末装置のためであるか否かを示すために使用される、請求項６９に記載の方法。
【請求項７１】
前記Ｓ個のビットの中の第１ビットは、帯域幅部分ＢＷＰの先頭リソースブロックから開始するｎ個の連続するリソースブロックが前記端末装置のためであるか否かを示すために使用され、又は帯域幅部分ＢＷＰの先頭リソースブロックから開始するｎ個の連続するリソースブロックに隣接するｍ個のリソースブロックが前記端末装置のためであるか否かを示すために使用され、
ｎはｍ及び前記第２オフセットに基づき決定された値に等しく、ｍはネットワーク装置により通知され又は予め構成され、前記第２オフセットは、前記共通インデックス領域の先頭リソースブロックと前記キャリア帯域幅部分ＢＷＰの前記先頭リソースブロックとの間のオフセットである、請求項７０に記載の方法。
【請求項７２】
ｎはｍ−ｙ２に等しく、ｙ２は前記第２オフセットｍｏｄ  ｍの値に等しい、請求項７１に記載の方法。
【請求項７３】
前記Ｓ個のビットの中の第２ビットは、ｍ個のリソースブロックが前記端末装置のためであるか否かを示すために使用され、前記ｍ個のリソースブロックは前記Ｓ個のビットの中の前記第１ビットにより示されるｎ個のリソースブロックに隣接する、請求項７０乃至７２のいずれか一項に記載の方法。
【請求項７４】
ｍは２、４、６、８、又は１２に等しい、請求項７０乃至７３のいずれか一項に記載の方法。
【請求項７５】
通信方法であって、
ネットワーク装置により、複数のリソースブロックを決定するステップであって、前記複数のリソースブロックは端末装置のためである、ステップと、
前記ネットワーク装置により、前記端末装置へリソース指示情報を送信するステップであって、前記リソース指示情報は前記複数のリソースブロックを示すために使用される、ステップと、
を含む方法。
【請求項７６】
前記リソース指示情報はＳ個のビットを含み、前記Ｓ個のビットの各々は、少なくとも１つのリソースブロックが前記端末装置のためであるか否かを示すために使用される、請求項７５に記載の方法。
【請求項７７】
前記Ｓ個のビットの中の第１ビットは、帯域幅部分ＢＷＰの先頭リソースブロックから開始するｎ個の連続するリソースブロックが前記端末装置のためであるか否かを示すために使用され、又は帯域幅部分ＢＷＰの先頭リソースブロックから開始するｎ個の連続するリソースブロックに隣接するｍ個のリソースブロックが前記端末装置のためであるか否かを示すために使用され、
ｎはｍ−ｙ２に等しく、ｙ２は前記第２オフセットｍｏｄ  ｍの値に等しく、ｍは前記ネットワーク装置により決定され又は予め構成され、前記第２オフセットは、前記共通インデックス領域の先頭リソースブロックと前記帯域幅部分ＢＷＰの前記先頭リソースブロックとの間のオフセットである、請求項７６に記載の方法。
【請求項７８】
無線機器であって、プロセッサと受信機とを含み、
前記受信機は、リソース指示情報を取得するよう構成され、前記リソース指示情報は前記端末装置のための複数のリソースブロックを示すために使用され、
前記プロセッサは、前記複数のリソースブロックのインデックス情報を決定するよう構成される、機器。
【請求項７９】
前記リソース指示情報はＳ個のビットを含み、前記Ｓ個のビットの各々は、少なくとも１つのリソースブロックが前記端末装置のためであるか否かを示すために使用される、請求項７８に記載の機器。
【請求項８０】
前記Ｓ個のビットの中の第１ビットは、帯域幅部分ＢＷＰの先頭リソースブロックから開始するｎ個の連続するリソースブロックが前記端末装置のためであるか否かを示すために使用され、又は帯域幅部分ＢＷＰの先頭リソースブロックから開始するｎ個の連続するリソースブロックに隣接するｍ個のリソースブロックが前記端末装置のためであるか否かを示すために使用され、
ｎはｍ及び前記第２オフセットに基づき決定された値に等しく、ｍはネットワーク装置により通知され又は予め構成され、前記第２オフセットは、前記共通インデックス領域の先頭リソースブロックとキャリア帯域幅部分ＢＷＰの前記先頭リソースブロックとの間のオフセットである、請求項７９に記載の機器。
【請求項８１】
ｎはｍ−ｙ２に等しく、ｙ２は前記第２オフセットｍｏｄ  ｍの値に等しい、請求項８０に記載の機器。
【請求項８２】
無線機器であって、プロセッサと送信機とを含み、
前記プロセッサは、複数のリソースブロックを決定するよう構成され、前記複数のリソースブロックは端末装置のためであり、
前記送信機は、前記端末装置へリソース指示情報を送信するよう構成され、前記リソース指示情報は前記複数のリソースブロックを示すために使用される、
機器。
【請求項８３】
前記リソース指示情報はＳ個のビットを含み、前記Ｓ個のビットの各々は、少なくとも１つのリソースブロックが前記端末装置のためであるか否かを示すために使用される、請求項８２に記載の機器。
【請求項８４】
前記Ｓ個のビットの中の第１ビットは、帯域幅部分ＢＷＰの先頭リソースブロックから開始するｎ個の連続するリソースブロックが前記端末装置のためであるか否かを示すために使用され、又は帯域幅部分ＢＷＰの先頭リソースブロックから開始するｎ個の連続するリソースブロックに隣接するｍ個のリソースブロックが前記端末装置のためであるか否かを示すために使用され、
ｎはｍ−ｙ２に等しく、ｙ２は前記第２オフセットｍｏｄ  ｍの値に等しく、ｍはネットワーク装置により決定され又は予め構成され、前記第２オフセットは、前記共通インデックス領域の先頭リソースブロックと前記帯域幅部分ＢＷＰの前記先頭リソースブロックとの間のオフセットである、請求項８３に記載の機器。
【請求項８５】
機器であって、前記機器は１つ以上のプロセッサとメモリとを含み、前記メモリはコンピュータプログラムを格納し、前記コンピュータプログラムが前記１つ以上のプロセッサにより実行されると、前記機器は、請求項１乃至９のいずれか一項に記載の方法、請求項３５乃至４３のいずれか一項に記載の方法、又は請求項６９乃至７４のいずれか一項に記載の方法を実行可能にされる、機器。
【請求項８６】
機器であって、前記機器は１つ以上のプロセッサとメモリとを含み、前記メモリはコンピュータプログラムを格納し、前記コンピュータプログラムが前記１つ以上のプロセッサにより実行されると、前記機器は、請求項１９乃至２６のいずれか一項に記載の方法、請求項５３乃至６０のいずれか一項に記載の方法、又は請求項７５乃至７７のいずれか一項に記載の方法を実行可能にされる、機器。
【請求項８７】
記憶媒体であって、前記記憶媒体はコンピュータプログラムを格納し、１つ以上のプロセッサにより実行されると、前記コンピュータプログラムは、請求項１乃至９のいずれか一項に記載の方法、請求項３５乃至４３のいずれか一項に記載の方法、又は請求項６９乃至７４のいずれか一項に記載の方法を実施する、記憶媒体。
【請求項８８】
記憶媒体であって、前記記憶媒体はコンピュータプログラムを格納し、１つ以上のプロセッサにより実行されると、前記コンピュータプログラムは、請求項１９乃至２６のいずれか一項に記載の方法、請求項５３乃至６０のいずれか一項に記載の方法、又は請求項７５乃至７７のいずれか一項に記載の方法を実施する、記憶媒体。
【発明の詳細な説明】
【技術分野】
【０００１】
［関連出願］
本願は、参照によりそれらの全体がここに組み込まれる、中国特許出願番号第２０１７１１１０７９１５．２号、２０１７年１１月１０日に中国特許庁に出願、名称「COMMUNICATION  METHOD,  APPARATUS,  AND  SYSTEM」、及び中国特許出願番号第２０１８１００５５１４２．６号、２０１８年１月１９日に中国特許庁に出願、名称「COMMUNICATION  METHOD,  APPARATUS,  AND  SYSTEM」の優先権を主張する。
【０００２】
［技術分野］
本発明は、無線通信分野に関し、特に、無線通信システムにおけるリソースブロックセットの構成に関する。
【背景技術】
【０００３】
第５世代無線アクセスシステム標準の新無線（New  Radio,  NR）では、周波数ドメインにおける単位はサブキャリアであり、時間ドメインにおける単位は直交周波数分割多重（Orthogonal  Frequency  Division  Multiplexing,  OFDM）シンボルである。リソース要素（Resource  Element,  RE）は、１つのＯＦＤＭシンボルの中の１つのサブキャリアを含む最小物理リソースである。
【０００４】
具体的に、ネットワーク装置は、端末装置のために１又は複数のアップリンク／ダウンリンク帯域幅部分（ＢＷＰ）を構成してよい。ＢＷＰは、システムキャリア帯域幅のサブセットであり、複数の帯域幅部分は周波数ドメインで重なり合ってよい（overlap）。ネットワーク装置は、端末装置（ＵＥ）のために構成した帯域幅部分の中の１つのアップリンク／ダウンリンク帯域幅部分をアクティブにしてよい。ネットワーク装置は、アクティブにしたダウンリンク帯域幅部分で物理ダウンリンク共有チャネル（ＰＤＳＣＨ）及び物理ダウンリンク制御チャネル（ＰＤＣＣＨ）を端末装置へ送信する。端末装置は、アクティブにされたアップリンク帯域幅部分でアップリンク共有チャネル（ＰＵＳＣＨ）をネットワーク装置へ送信する。
【０００５】
ネットワーク装置により１つ以上の端末装置のために構成された複数のＢＷＰは、周波数ドメインにおいて重なり合ってよいことが分かる。さらに、周波数ドメインにおけるＢＷＰの最小粒度は、１リソースブロック（Resource  Block、略称：RB）であり、各ＲＢは複数のサブキャリアを含む。周波数ドメインにおける重なり合うＢＷＰのうちのＢＷＰ内の重なり合った位置にある各ＲＢは、多くても１つの端末装置に割り当て可能なだけである。そのような前提では、ネットワーク装置により、端末装置にアップリンク又はダウンリンクリソースをどのように効率的に割り当てるか又は再割り当てするかが、解決される必要のある技術的問題になる。
【発明の概要】
【０００６】
本発明は、ネットワーク装置がアップリンク又はダウンリンクリソースを端末装置に効率的に割り当て又は再割り当てできるような、通信方法、機器、及びシステムに関する。
【０００７】
第１の態様によると、本願の一実施形態は、通信方法を提供し、当該方法は、ネットワーク装置により、複数のリソースブロックを決定するステップであって、前記複数のリソースブロックユニットは端末装置のためである、ステップと、
前記ネットワーク装置により、リソース指示情報を前記端末装置へ送信するステップであって、前記リソース指示情報は複数のリソースブロックを示すために使用される、ステップと、
前記端末装置により、リソース指示情報を取得するステップであって、前記リソース指示情報は、前記端末装置のための前記複数のリソースブロックを示すために使用される、ステップと、
前記端末装置により、前記複数のリソースブロックのインデックス情報を決定するステップと、を含む。
【０００８】
当該方法に基づき、前記ネットワーク装置は、前記端末装置のためにリソース構成を効率的に実行できる。その結果、前記端末装置は、リソース位置を正確に適時的方法で取得できる。
【０００９】
任意の設計で、前記リソース指示情報はＳ個のビットを含み、前記複数のビットの各々は、少なくとも１つのリソースブロックが前記端末装置のためであるか否かを示すために使用される。各ビットにより示される前記少なくとも１つのリソースブロックは、周波数ドメインにおいて連続している。
【００１０】
任意の設計で、前記Ｓ個のビットの中の第１ビットは、共通インデックス領域の先頭リソースブロックから開始するｎ個の連続するリソースブロックが前記端末装置のためであるか否かを示すために使用され、ｎはｍに等しく、又はｎは第１オフセット及びｍに基づき決定される値に等しく、ｍは前記ネットワーク装置により通知され又は予め構成され、前記第１オフセットは、前記共通インデックス領域の前記先頭リソースブロックと前記周波数ドメイン基準点との間のオフセットであり、周波数ドメイン基準点は前記ネットワーク装置により通知され又は予め構成される。
【００１１】
任意の設計で、ｎは前記第１オフセット及びｍに基づき決定された前記値に等しく、ｎはｙ１に等しく、又はｎはｍ−ｙ１の値に等しく、ここで、ｙ１は前記第１オフセットｍｏｄ  ｍの値に等しい。
【００１２】
任意の設計で、前記第１オフセットは、前記端末装置により前記ネットワーク装置から受信される。
【００１３】
任意の設計で、Ｓ個のビットの中の前記第１ビットは、帯域幅部分ＢＷＰの先頭リソースブロックから開始するｎ個の連続するリソースブロックが前記端末装置のためであるか否かを示すために使用され、又は帯域幅部分ＢＷＰの先頭リソースブロックから開始するｎ個の連続するリソースブロックに隣接するｍ個のリソースブロックが前記端末装置のためであるか否かを示すために使用され、
ｎはｍ及び第２オフセットに基づき決定された値に等しく、又はｎは、ｍ、前記第１オフセット、及び前記第２オフセットに基づき決定された値に等しく、ｍは前記ネットワーク装置により通知され又は予め構成され、前記第１オフセットは、共通インデックス領域の先頭リソースブロックと周波数ドメイン基準点との間のオフセットであり、前記周波数ドメイン基準点は、前記ネットワーク装置により通知され又は予め構成され、前記第２オフセットは、前記共通インデックス領域の前記先頭リソースブロックとキャリア帯域幅部分ＢＷＰの先頭リソースブロックとの間のオフセットである。
【００１４】
任意の設計で、ｎがｍ及び前記第２オフセットに基づき決定された前記値に等しいとき、ｎはｍ−ｙ２に等しく、ｙ２は第２オフセットｍｏｄ  ｍの値に等しく、又はｎが、ｍ、前記第１オフセット、及び前記第２オフセットに基づき決定された値に等しいとき、ｎはｙ３に等しく、又はｎはｍとｙ３との間の差に等しく、ｙ３は、第３オフセットｍｏｄ  ｍの値に等しく、前記第３オフセットは、前記第１オフセット及び前記第２オフセットに関連する。
【００１５】
任意の設計で、前記第１オフセット及び／又は前記第２オフセットは、前記端末装置により前記ネットワーク装置から受信される。
【００１６】
任意の設計で、前記ネットワーク装置はオフセット指示情報を前記端末装置へ送信し、前記端末装置は前記オフセット指示情報を取得し、前記オフセット指示情報は、前記リソース指示周波数ドメイン基準点から前記共通インデックス領域の前記先頭リソースブロック又は前記キャリア帯域幅部分ＢＷＰの前記先頭リソースブロックまでのＲＢオフセットの数を示すために使用される。
【００１７】
前記リソース指示周波数ドメイン基準点は、前記リソース指示情報の中の前記第１ビットにより示される前記少なくとも１つのリソースブロックの中の第１ＲＢ又は最後のＲＢであってよい。
【００１８】
前記端末装置は、前記オフセット指示情報及び前記リソース指示情報に基づき、前記複数のリソースブロックのインデックス情報を決定する。
【００１９】
任意の設計で、前記Ｓ個のビットの中の第２ビットは、ｍ個のリソースブロックが前記端末装置のためであるか否かを示すために使用され、前記ｍ個のリソースブロックは前記Ｓ個のビットの中の第１ビットにより示されるｎ個のリソースブロックに隣接する。
【００２０】
任意の設計で、ｍは１，２，４，８，３，６，又は１２に等しい。
【００２１】
第２の態様によると、本発明の一実施形態は、機器であって、プロセッサと受信機とを含み、
前記受信機は、リソース指示情報を取得するよう構成され、前記リソース指示情報は前記端末装置のための複数のリソースブロックを示すために使用され、
前記プロセッサは、前記複数のリソースブロックのインデックス情報を決定するよう構成される、機器を提供する。
【００２２】
第２の態様は、別の機器であって、プロセッサと送信機とを含み、
前記プロセッサは、複数のリソースブロックを決定するよう構成され、前記複数のリソースブロックは端末装置のためであり、
前記送信機は、前記端末装置へリソース指示情報を送信するよう構成され、前記リソース指示情報は前記複数のリソースブロックを示すために使用される、
機器を更に提供する。
【００２３】
任意の設計で、前記リソース指示情報はＳ個のビットを含み、前記複数のビットの各々は、少なくとも１つのリソースブロックが前記端末装置のためであるか否かを示すために使用される。
【００２４】
第３の態様によると、本発明は方法を提供する。当該方法では、端末装置は、複数の制御リソースセットを決定し、各制御リソースセットは、制御チャネル要素の１つのマッピング方法に対応し、前記端末装置は、前記制御チャネルリソースセットの中で、制御情報を運ぶ制御チャネルを検出する。
【００２５】
任意の設計では、前記端末装置は、オフセットを取得し、前記オフセットは前記制御チャネル要素のマッピングのために使用される。前記オフセットは、上位レイヤシグナリングに基づき決定され、又は上位レイヤシグナリングを用いて構成された識別子に基づき決定されてよい。
【００２６】
第３の態様は方法を更に提供する。当該方法では、ネットワーク装置は、複数の制御リソースセットを決定し、各制御リソースセットは制御チャネル要素の１つのマッピング方法に対応する。
【００２７】
任意の設計では、ネットワーク装置は、オフセットを端末装置へ送信し、前記オフセットは前記制御チャネル要素のマッピングのために使用される。
【００２８】
第４の態様によると、本発明は、第２の態様による少なくとも２つの機器を含むシステムを提供する。
【００２９】
第５の態様によると、本発明は、無線機器であって、前記無線機器は１つ以上のプロセッサとメモリとを含み、前記メモリはコンピュータプログラムを格納し、前記プロセッサが前記コンピュータプログラムを実行すると、前記機器は、第１の態様及び／又は第３の態様によるいずれかの方法を実施可能にされる、無線機器を提供する。
【００３０】
第６の態様によると、本発明はコンピュータプログラムを格納するコンピュータ記憶媒体を提供する。コンピュータ記憶媒体はコンピュータプログラムを格納する。プロセッサ又は装置（端末装置又はネットワーク装置）により実行されると、前記コンピュータプログラムは、第１の態様及び／又は第３の態様によるいずれかの方法を実施する。
【００３１】
第７の態様によると、本発明は、命令を含むコンピュータプログラムプロダクトを提供する。コンピュータ上で実行すると、前記コンピュータプログラムプロダクトは、前記コンピュータを第１の態様及び／又は第３の態様によるいずれかの方法を実行可能にする。
【００３２】
第８の態様によると、本発明はチップシステムを提供する。前記チップシステムは、第１の態様及び／又は第３の態様に関連する機能を実施する際に、例えば前述の方法に関連するデータ及び／又は情報を生成し又は処理する際に、ネットワーク装置又は機器をサポートするよう構成されたプロセッサを含む。可能な設計では、前記チップシステムは、メモリを更に含み、前記メモリは、前記ネットワーク装置及び前記通信機器のために必要なプログラム命令及びデータを格納するよう構成される。前記チップシステムは、チップにより構成されてよく、又はチップ及び別の個別素子を含んでよい。
【００３３】
第９の態様によると、本発明はチップを提供する。チップは、処理モジュールと通信インタフェースとを含む。前記処理モジュールは、外部通信を実行するよう前記通信インタフェースを制御するよう構成される。前記処理モジュールは、第１の態様及び／又は第３の態様によるいずれかの方法を実施するよう更に構成される。
【００３４】
従来と比べて、本発明の実施形態で提供されるソリューションでは、前記ネットワーク装置は、前記リソース指示情報を前記端末装置へ送信でき、前記端末装置のための前記複数のリソースブロックを示す。その結果、前記端末装置は、前記リソース指示情報に基づき前記複数のリソースブロックを決定できる。本方法により、前記ネットワーク装置は、アップリンク又はダウンリンクリソースを前記端末装置に効率的に割り当てる又は再割り当てすることができ、それにより、前記ネットワークシステムの通信効率を向上する。
【図面の簡単な説明】
【００３５】
以下は、添付の図面を参照して、本発明の実施形態を更に詳細に説明する。
【００３６】
【図１】本発明の一実施形態の適用シナリオの可能な概略図を示す。
【００３７】
【図２】本発明の一実施形態によるネットワーク装置の可能な概略構造図を示す。
【００３８】
【図３】本発明の一実施形態による端末装置の可能な概略構造図を示す。
【００３９】
【図４】従来の可能なＢＷＰ構成を示す。
【００４０】
【図５】従来の別の可能なＢＷＰ構成を示す。
【００４１】
【図６】本発明の一実施形態による通信方法の可能な概略フローチャートを示す。
【００４２】
【図７】本発明の一実施形態による可能なリソース構成方法を示す。
【００４３】
【図８】本発明の一実施形態による別の可能なリソース構成方法を示す。
【００４４】
【図９】本発明の一実施形態による無線機器の可能な概略構造図を示す。
【発明を実施するための形態】
【００４５】
本発明の実施形態で説明されるネットワークアーキテクチャ及びサービスシナリオは、本発明の実施形態における技術的ソリューションの一層明確な説明を意図しており、本発明の実施形態で提供される技術的ソリューションに対する限定を構成しない。当業者は、本発明の実施形態で提供される技術的ソリューションが、ネットワークアーキテクチャの進化するとき及び新サービスシナリオの出現するときに、同様の技術的課題にも適用可能であることを理解できる。
【００４６】
本発明の実施形態では、「複数の」は２又は２以上を表す。用語「及び／又は」は、関連付けられたオブジェクトを説明する関連付け関係を記述し、３つの関係が存在し得ることを表す。例えば、Ａ及び／又はＢは、以下の３つの場合を表してよい。Ａのみが存在する、Ａ及びＢの両方が存在する、並びに、Ｂのみが存在する。文字「／」は、通常、関連付けられたオブジェクトの間の「又は」の関係を示す。
【００４７】
図１は、本発明の一実施形態の適用シナリオの可能な概略図を示す。適用シナリオの中の通信システムは、ネットワーク装置と１つ以上の端末装置とを含む。ネットワーク装置及び端末装置は、１つ以上の無線インタフェース技術を用いて互いに通信してよい。
【００４８】
以下は、本発明の実施形態に現れ得る用語を説明する。
【００４９】
通信システムは、ロングタームエボリューション（Long  Term  Evolution、略称：LTE）システム又は種々の無線アクセス技術を使用する他の無線通信システム、例えば符号分割多元接続、周波数分割多元接続、時分割多元接続、直交周波数分割多元接続、及びシングルキャリア周波数分割多元接続のようなアクセス技術を使用するシステムに適用可能であってよい。さらに、通信システムは、ＬＴＥシステムの後継の進化型システム、例えば第５世代５Ｇシステムにも適用可能であってよい。
【００５０】
ネットワーク装置は、基地局又はアクセスポイント、又はアクセスネットワーク内にあり無線インタフェースで１つ以上のセクタ内にある無線端末と通信するネットワーク装置又は装置であってよい。ネットワーク装置は、受信した無線フレームとＩＰパケットとの間の相互変換を実行し、無線端末とアクセスネットワークの残りの部分との間のルータとしてサービスするよう構成されてよい。ここで、アクセスネットワークの残りの部分はインターネットプロトコル（ＩＰ）ネットワークを含んでよい。ネットワーク装置は、無線インタフェースの属性管理を調整してよい。例えば、ネットワーク装置は、グローバルシステムフォーモバイルコミュニケーションズ（Global  System  of  Mobile  communication,  GSM）又は符号分割多元接続（Code  Division  Multiple  Access,  CDMA）における基地トランシーバ局（Base  Transceiver  Station,  BTS）、又は広帯域符号分割多元接続（Wideband  Code  Division  Multiple  Access,  WCDMA）におけるＮｏｄｅＢ（NodeB,  NB）、又はロングタームエボリューション（Long  Term  Evolution,  LTE）における進化型ＮｏｄｅＢ（Evolutional  Node  B,  eNB又はeNodeB）、又は中継ノード若しくはアクセスポイント、又は将来の５Ｇネットワークにおける基地局、例えばｇＮＢであってよい。ここで限定は課されない。留意すべきことに、５Ｇ又はＮＲシステムでは、１つのＮＲ  ｇＮＢにおいて、１つ以上の送受信ポイント（Transmission  Reception  Point,  TRP）が存在してよく、全てのＴＲＰが同じセルに属し、各ＴＲＰ及び各端末は、本発明の実施形態で説明される測定報告方法を使用できる。別のシナリオでは、ネットワーク装置は、制御ユニット（Control  Unit,  CU）及びデータユニット（Data  Unit,  DU）に更に分割されてよい。１つのＣＵの制御下には、複数のＤＵが存在してよい。各ＤＵ及び各端末は、本発明の実施形態で説明される測定報告方法を使用できる。ＣＵ−ＤＵ分離シナリオと複数ＴＲＰシナリオとの間の違いは、ＴＲＰが単に無線周波数ユニットか又はアンテナ装置かにあり、一方でＤＵはプロトコルスタック機能を実装できる。例えば、ＤＵは物理レイヤ機能を実装できる。
【００５１】
端末装置は、無線端末又は有線端末であってよい。無線端末は、ユーザに音声及び／又は他のサービスデータ接続を提供する装置、無線接続機能を備えるハンドヘルド装置、又は無線モデムに接続された他の処理装置であってよい。無線端末は、無線アクセスネットワーク（Radio  Access  Network,  RAN）を用いて１つ以上のコアネットワークと通信してよい。無線端末は、移動電話機（「セルラ」フォンとも呼ばれる）のようなモバイル端末、及びモバイル端末を備えるコンピュータであってよく、例えば、無線アクセスネットワークと音声及び／又はデータを交換するポータブルなポケットサイズのハンドヘルド型の、コンピュータ内蔵型の又は車載モバイル機器であってよい。例えば、無線端末は、パーソナル通信サービス（Personal  Communication  Service,  PCS）電話機、コードレス電話機セット、セッション開始プロトコル（Session  Initiation  Protocol,  SIP）電話機、無線ローカルループ（Wireless  Local  Loop,  WLL）局、又はパーソナルデジタルアシスタント（Personal  Digital  Assistant,  PDA）のような装置であってよい。無線端末は、システム、加入者ユニット（Subscriber  Unit）、加入者局（Subscriber  Station）、移動局（Mobile  Station）、モバイル端末（Mobile）、リモート局（Remote  Station）、リモート端末（Remote  Terminal）、アクセス端末（Access  Terminal）、ユーザ端末（User  Terminal）、ユーザエージェント（User  Agent）又はユーザ機器（User  Device又はUser  Equipment）とも呼ばれてよい。ここで限定は課されない。
【００５２】
シンボルは、限定ではないが、直交周波数分割多重（Orthogonal  Frequency  Division  Multiplexing,  OFDM）シンボル、スパース符号多元接続（Sparse  Code  Multiplexing  Access,  SCMA）シンボル、フィルタ直交周波数分割多重（Filtered  Orthogonal  Frequency  Division  Multiplexing,  FーOFDM）シンボル、及び非直交多元接続（NonーOrthogonal  Multiple  Access,  NOMA）シンボルを含む。シンボルは、実際の状況に基づき具体的に決定されてよく、詳細はここで説明されない。
【００５３】
制御リソースセット（Control  Resource  Set,  CORESET）は、制御チャネル送信のために使用されるリソースセットである。ＣＯＲＥＳＥＴの中の時間ドメインリソースは、連続又は不連続であってよい。
【００５４】
リソースブロック（Resource  Block,  RB）は、物理リソースブロックとも呼ばれ、周波数ドメインリソースユニットであり、周波数ドメインにおいてＭ個の連続するサブキャリアを占有する。Ｍは０より大きい自然数である。例えば、ＬＴＥでは、１個のＲＢは周波数ドメインで１２個の連続するサブキャリアを占有する。
【００５５】
リソースブロックセット（Resource  Block  Set,  RB  Set）は複数のＲＢのセットである。
【００５６】
サブキャリア間隔は、周波数ドメインにおける最小粒度である。例えば、ＬＴＥでは、１個のサブキャリアのサブキャリア間隔は１５ｋＨｚである。
【００５７】
上位レイヤシグナリングは、物理レイヤシグナリングと異なり、マスタ情報ブロック（Master  Information  Block,  MIB）、システム情報ブロック（System  Information  Block,  SIB）、無線リソース制御（Radio  Resource  Control,  RRC）シグナリング、又は同様の特性を有する他の上位レイヤシグナリングであってよい。
【００５８】
帯域幅部分（BandWidth  Part,  BWP）は、周波数ドメインにおける複数の連続する物理リソースブロックであり、通常、ネットワーク装置により端末装置のために構成される。端末装置は、ＢＷＰでデータを受信し又は送信する。制御リソース送信の一例では、１個のＢＷＰは少なくとも１個の制御リソースセットを含み、制御リソースセットは、周波数ドメインにおいてＢＷＰにより含まれる複数の物理リソースブロックより多くない周波数ドメインリソースを含む。
【００５９】
共通インデックス方式（Common  Index  Scheme）は、標準又はプロトコルで定められたインデックス方式、通信システム内のネットワーク装置により決定されたインデックス方式、又は通信システム内の複数のネットワーク装置により交渉を通じて決定されたインデックス方式である。インデックス方式は、リソース構成のために使用される。通信システムでは、ネットワーク装置により該ネットワーク装置によりサービスされる端末装置のために構成された制御リソース及び／又はデータリソースは、共通インデックス方式に基づき決定された共通インデックス領域内に位置する。
【００６０】
共通インデックス領域は、共通インデックス方式（common  index  scheme）に基づき取得される、周波数ドメインにおける複数の連続する物理リソースブロックである。帯域幅部分ＢＷＰは、共通インデックス領域内に位置する。例えば、端末装置は、共通インデックス領域内の共通物理リソースブロックインデックスに基づき、ＢＷＰの周波数ドメイン位置を決定する。
【００６１】
さらに、図２に、前述のネットワーク装置の可能な概略構造図が示され得る。ネットワーク装置１０２は、本発明の実施形態で提供される方法を実行できる。ネットワーク装置１０２は、制御部又はプロセッサ２０１（以下はプロセッサ２０１を説明のための一例として使用する）と、トランシーバ２０２と、を含んでよい。制御部／プロセッサ２０１は、時には、モデムプロセッサ（modem  processor）と呼ばれてもよい。モデムプロセッサ２０１は、ベースバンドプロセッサ（baseband  processor,  BBP）（図示しない）を含んでよい。ベースバンドプロセッサは、受信したデジタル信号を処理して、信号内で送信された情報又はデータビットを抽出する。したがって、要件又は期待に基づき、ＢＢＰが、通常、モデムプロセッサ２０１内の１つ以上のデジタル信号プロセッサ（digital  signal  processor,  DSP）内に実装され又は個別集積回路（integrated  circuit,  IC）として実装される。
【００６２】
トランシーバ２０２は、ネットワーク装置と端末装置との間の情報送信及び受信をサポートし及び端末装置間の無線通信をサポートするよう構成されてよい。プロセッサ２０１は、端末装置と別のネットワーク装置との間の通信のための種々の機能を実行するよう更に構成されてよい。アップリンクでは、端末装置からのアップリンク信号は、アンテナにより受信され、トランシーバ２０２により復調され、端末装置により送信されたサービスデータ及び／又はシグナリング情報を復元するためにプロセッサ２０１により更に処理される。ダウンリンクでは、サービスデータ及び／又はシグナリングメッセージは、端末装置により処理され、ダウンリンク信号を生成するためにトランシーバ２０２により変調され、アンテナにより端末装置へ送信される。ネットワーク装置は、メモリ２０３を更に含んでよく、メモリ２０３はネットワーク装置のプログラムコード及び／又はデータを格納するよう構成されてよい。トランシーバ２０２は、独立した受信機及び送信機回路を含んでよく、又は１つの回路内に送信及び受信機能を実装してよい。ネットワーク装置は、通信ユニット２０４を更に含んでよく、通信ユニット２０４は、他のネットワークエンティティと通信する際にネットワーク装置をサポートするよう構成される。例えば、通信ユニット２０４は、コアネットワーク内のネットワーク装置等と通信する際にネットワーク装置をサポートするよう構成される。
【００６３】
任意で、ネットワーク装置はバスを更に含んでよい。トランシーバ２０２、メモリ２０３、及び通信ユニット２０４は、バスを用いてプロセッサ２０１に接続されてよい。例えば、バスは、周辺コンポーネント相互接続（Peripheral  Component  Interconnect,  PCI）バス、拡張工業標準アーキテクチャ（Extended  Industry  Standard  Architecture,  EISA）バス、等であってよい。バスは、アドレスバス、データバス、制御バス、等を含んでよい。
【００６４】
図３は、前述の通信システムにおける端末装置の可能な概略構造図である。端末装置は、本発明の実施形態で提供される方法を実行できる。端末装置は、図１内の１つ以上の端末装置のうちの任意の１つであってよい。端末装置は、トランシーバ３０１、アプリケーションプロセッサ（application  processor）３０２、メモリ３０３、及びモデムプロセッサ（application  processor）３０４を含む。
【００６５】
トランシーバ３０１は、出力サンプルに調整（例えば、アナログ変換、フィルタリング、増幅、及びアップコンバージョン）を実行し、アップリンク信号を生成してよい。アップリンク信号は、アンテナにより、前述の実施形態における基地局へ送信される。ダウンリンクでは、アンテナは、ネットワーク装置により送信されたダウンリンク信号を受信する。トランシーバ３０１は、アンテナから受信した信号に調整（例えば、フィルタリング、増幅、ダウンコンバージョン、及びデジタル化）を実行し、インプットサンプルを提供してよい。
【００６６】
モデムプロセッサ３０４は、時には、制御部又はプロセッサと呼ばれてよく、ベースバンドプロセッサ（baseband  processor,  BBP）（図示しない）を含んでよい。ベースバンドプロセッサは、受信したデジタル信号を処理して、信号内で送信された情報又はデータビットを抽出する。要件又は期待に基づき、ＢＢＰが、通常、モデムプロセッサ３０４内の１つ以上のデジタル信号プロセッサ（digital  signal  processor,  DSP）内に実装され又は個別集積回路（ＩＣ）として実装される。
【００６７】
ある設計では、モデムプロセッサ（modem  processor）３０４は、エンコーダ３０４１、変調器３０４２、デコーダ３０４３、及び復調器３０４４を含んでよい。エンコーダ３０４１は、被送信信号を符号化するよう構成される。例えば、エンコーダ３０４１は、アップリンクで送信されるべきサービスデータ及び／又はシグナリングメッセージを受信し、サービスデータ及びシグナリングメッセージに処理（例えば、フォーマット、符号化、又はインターリーブ）を実行するよう構成されてよい。変調器３０４２は、エンコーダ３０４１の出力信号を変調するよう構成される。例えば、変調器は、シンボルマッピング及び／又は変調のような処理をエンコーダの出力信号（データ及び／又はシグナリング）に対して実行し、出力サンプルを提供してよい。復調器３０４４は、入力信号に対して復調処理を実行するよう構成される。例えば、復調器３０４４は、入力サンプルを処理し、シンボル推定を提供する。デコーダ３０４３は、復調入力信号を復号するよう構成される。例えば、デコーダ３０４３は、デインターリーブ及び／又は復号のような処理を復調入力信号に対して実行し、復号信号（データ及び／又はシグナリング）を出力する。エンコーダ３０４１、変調器３０４２、復調器３０４４、及びデコーダ３０４３は、統合モデムプロセッサ３０４により実装されてよい。これらのユニットは、無線アクセスネットワークにより使用される無線アクセス技術に基づく処理を実行する。
【００６８】
モデムプロセッサ３０４は、アプリケーションプロセッサ３０２から、音声、データ、又は制御情報を表し得るデジタルデータを受信し、送信のためにデジタルデータを処理する。モデムプロセッサは、複数の通信システム、例えば、ＬＴＥ、新無線、ユニバーサルモバイルテレコミュニケーションズシステム（Universal  Mobile  Telecommunications  System,  UMTS）、及び高速パケットアクセス（High  Speed  Packet  Access,  HSPA）の複数の無線通信プロトコルのうちの１つ以上をサポートしてよい。任意で、モデムプロセッサ３０４は、１つ以上のメモリを含んでよい。
【００６９】
任意で、モデムプロセッサ３０４及びアプリケーションプロセッサ３０２は、１つのプロセッサチップに統合されてよい。
【００７０】
メモリ３０３は、端末装置の通信をサポートするために使用されるプログラムコード（時には、プログラム、命令、ソフトウェア、等とも呼ばれる）及び／又はデータを格納するよう構成される。
【００７１】
留意すべきことに、メモリ２０３又はメモリ３０３は、１つ以上の記憶ユニットを含んでよい。例えば、記憶ユニットは、プログラムコードを格納するよう構成されプロセッサ２０１又はモデムプロセッサ３０４又はアプリケーションプロセッサ３０２の内部にある記憶ユニットであってよく、又はプロセッサ２０１又はモデムプロセッサ３０４又はアプリケーションプロセッサ３０２と独立の外部記憶ユニットであってよく、又は更にプロセッサ２０１又はモデムプロセッサ３０４又はアプリケーションプロセッサ３０２の内部の記憶ユニットとプロセッサ２０１又はモデムプロセッサ３０４又はアプリケーションプロセッサ３０２と独立の外部記憶ユニットとを含むコンポーネントであってよい。
【００７２】
プロセッサ２０１及びモデムプロセッサ３０４（以下では略してプロセッサ３０４）は、同じ種類のプロセッサ又は異なる種類のプロセッサであってよい。例えば、プロセッサ２０１及びモデムプロセッサ３０４は、それぞれ、中央処理ユニット（Central  Processing  Unit,  CPU）、汎用プロセッサ、デジタル信号プロセッサ（Digital  Signal  Processor,  DSP）、特定用途向け集積回路（ApplicationーSpecific  Integrated  Circuit,  ASIC）、フィールドプログラマブルゲートアレイ（Field  Programmable  Gate  Array,  FPGA）、又は別のプログラマブル論理素子、トランジスタ論理素子、ハードウェアコンポーネント、別の集積回路、又はそれらの任意の組み合わせとして実装されてよい。プロセッサ２０１及びモデムプロセッサ３０４は、本発明の実施形態において開示された内容を参照して説明される例のように、種々の論理ブロック、モジュール、及び回路を実装し又は実行してよい。プロセッサは、計算機能を実装する素子、例えば、１つ以上のマイクロプロセッサ、ＤＳＰ及びマイクロプロセッサの組み合わせ、又はシステムオンチップ（system−on−a−chip,  SOC）の組み合わせであってもよい。
【００７３】
当業者は、本願で開示される態様を参照して説明される種々の説明のための論理ブロック、モジュール、回路、及びアルゴリズムが、電子ハードウェア、メモリ又は別のコンピュータ可読媒体に格納されプロセッサ又は別の処理装置により実行される命令、又はそれらの組み合わせとして実装されてよいことを理解できる。一例として、本願明細書で説明する装置は、任意の回路、ハードウェアコンポーネント、ＩＣ、又はＩＣチップに適用されてよい。本願に開示されるメモリは、任意の種類及び任意のサイズのメモリであってよく、任意の種類の所要の情報を格納するよう構成されてよい。このような同義性を明確に示すために、以上は、種々の説明のためのコンポーネント、ブロック、モジュール、回路、及びステップを機能の形式で一般的に説明した。このような機能をどのように実装するかは、特定の用途、設計選択、及び／又はシステム全体に課される設計制約に依存する。当業者は、異なる方法で各特定用途のために、説明した機能を実装してよい。しかしながら、このような実装決定は、本発明の範囲から逸脱すると考えられるべきではない。
【００７４】
本発明の実施形態では、ダウンリンク（アップリンク）チャネルの送信は、ダウンリンク（アップリンク）チャネルで運ばれるデータ又は情報の送信であってよい。データ又は情報は、チャネル符号化により取得されるデータ又は情報であってよい。
【００７５】
制御リソースの一例では、ＮＲは端末装置のブラインド検出効率を向上するために、制御リソースセット（Control  Resource  Set,  CORESET）の概念を提案する。ネットワーク装置は、１つ以上の制御リソースセットを各端末装置に割り当て、端末装置に対応する任意の制御リソースセットで制御チャネルを端末装置へ送信する。端末装置は、サービングセルにアクセスし、周波数ドメインにおけるＣＯＲＥＳＥＴの中に含まれるリソースブロックセット（RB  set）に関する情報を取得する。制御リソースセットに含まれるリソースブロックセットは、ダウンリンクＢＷＰの中に位置する。制御リソース割り当てがＮＲにおいて実行されるとき、周波数ドメインにおけるリソースブロックセットの割り当て粒度は、６個の連続するリソースブロック（ＲＢ）である。
【００７６】
通常、周波数ドメインにおいてＢＷＰにより占有されるリソースは、端末装置の専用シグナリング、例えばＲＲＣシグナリングを用いて構成されてよい。ここで限定は課されない。最大で４個のＢＷＰが、ダウンリンク送信のために１個の端末装置に対して構成でき、最大で４個のＢＷＰが、アップリンク送信のために１個の端末装置に対して更に構成できる。さらに、異なる端末装置は、異なるＢＷＰ構成を有してよい。実際の送信では、１個のアップリンク／ダウンリンクＢＷＰのみがアクティブである。帯域幅部分ＢＷＰのリソースは、システムキャリアの帯域幅内に位置する。システムキャリアに含まれる共通インデックス領域の物理リソースブロックの数は、以下の表１に基づき決定されてよい。端末装置は、受信した指示情報により示されるサブキャリア間隔μを決定し、μ及び表１に基づき共通インデックス領域の物理リソースブロックの数を決定する。代替として、端末装置は、ネットワーク装置からの通知を受信して共通インデックス領域の物理リソースブロックの数を決定し、又は、端末装置は、標準又はプロトコルにおける定義に基づき共通インデックス領域の物理リソースブロックの数を決定する。ここで限定は課されない。以下は、説明のための一例としてテーブルルックアップ方法を使用する。
表１
【表１】
2021502758.tif 000003
【００７７】
μは表２に示されるようなサブキャリア間隔のサイズに対応する。例えば、μ＝０のとき、２７５個の物理リソースブロックがあり、共通リソースブロックインデックス（Common  RB  index）は、インデックス｛０｝からインデックス｛２７４｝、つまり｛０，１，２，３，．．．，２７４｝である。Ｃｏｍｍｏｎ  ＲＢ  ｉｎｄｅｘは、周波数ドメインにおいてＢＷＰにより占有されるリソースを構成するために使用される。１個のＢＷＰの中のリソースブロックは、周波数ドメインにおいて連続しており、周波数ドメインにおける最小粒度は１リソースブロックである。Ｃｏｍｍｏｎ  ＲＢ  ｉｎｄｅｘは、ネットワーク装置により構成されてよい。所与のサブキャリア間隔について、ネットワーク装置は、Ｃｏｍｍｏｎ  ＲＢ  ｉｎｄｅｘの中のインデックス０を有するＲＢから周波数ドメイン基準点までのオフセットを構成する。周波数ドメイン基準点は、ネットワーク装置により（例えば、上位レイヤシグナリングを用いて）通知される周波数ドメイン位置であり、又は予め構成され又は定められる。周波数ドメイン基準点は、１次サービングセル（Primary  serving  cell、略称：Pcell）の同期信号／物理ブロードキャストチャネルブロック（Synchronization  signal/Physical  broadcast  channel  Block,  SS/PBCH  Block）に含まれる最小インデックスを有する物理リソースブロック、１次サービングセル（Primary  serving  cell,  Pcell）の中のシステム情報を用いて通知されたアップリンク周波数ドメイン位置、２次サービングセル（Secondary  serving  cell,  Scell）の中の２次サービングセル構成情報により示された周波数ドメイン位置、及び補助アップリンク（SUL,  Supplement  Uplink）周波数ドメインの中の補助アップリンク周波数ドメイン構成情報により示される周波数ドメイン領域、のうちの１つであってよい。ここで限定は課されない。
表２
【表２】
2021502758.tif 000004
【００７８】
例えば、ネットワーク装置は、それぞれ、２つの端末装置ＵＥ０及びＵＥ１の各々について１個のＢＷＰ、つまりＢＷＰ０及びＢＷＰ１を構成する。図４に示すように、ＢＷＰ０のリソースは、Ｃｏｍｍｏｎ  ＲＢ  ｉｎｄｅｘの中の｛１｝から｛１４｝までのインデックスを有する１４個の連続する周波数ドメインリソースブロックであり、具体的に言うと、ＢＷＰ０のリソースは、Ｃｏｍｍｏｎ  ＲＢ  ｉｎｄｅｘの中の｛１，２，３，４，５，６，７，８，９，１０，１１，１２，１３，１４｝に対応するリソースブロックに対応しており、ＢＷＰ１のリソースは、Ｃｏｍｍｏｎ  ＲＢ  ｉｎｄｅｘの中の｛１２｝から｛２３｝までのインデックスを有する１２個の連続する周波数ドメインリソースブロックであり、具体的に言うと、ＢＷＰ１のリソースは、Ｃｏｍｍｏｎ  ＲＢ  ｉｎｄｅｘの中のＲＢインデックス｛１２，１３，１４，１５，１６，１７，１８，１９，２０，２１，２２，２３｝に対応するリソースブロックに対応している。ＢＷＰ０に含まれるＣｏｍｍｏｎ  ＲＢ  ｉｎｄｅｘは｛１，２，３，４，５，６，７，８，９，１０，１１，１２，１３，１４｝であり、対応するＢＷＰ  ＲＢインデックスは｛０，１，２，３，４，５，６，７，８，９，１０，１１，１２，１３｝である。同様に、ＢＷＰ１に対応するＢＷＰ  ＲＢインデックスも、０から開始して番号付けされてよい。
【００７９】
具体的に、ネットワーク装置は、ＢＷＰ０をＵＥ０の帯域幅部分として、及びＢＷＰ１をＵＥ１の帯域幅部分として構成してよい。代替として、ＢＷＰ０及びＢＷＰ１は、ネットワーク装置により同じＵＥのために構成される２個の候補帯域幅部分である。実際のシナリオでは、ＢＷＰ２、ＢＷＰ３、及びそれより多くが存在してよい。ここで限定は課されない。異なるＢＷＰの中のＣＯＲＥＳＥＴによる同じＲＢの占有により引き起こされる制御チャネルリソース衝突問題を回避するために、ＢＷＰ０、ＢＷＰ１、及びそれより多くのＢＷＰの中のＣＯＲＥＳＥＴリソースが割り当てられるとき、重なり合うＲＢリソース上で、１個のＢＷＰのみのＣＯＲＥＳＥＴリソースが構成される。以下は、図５を説明のための一例として使用する。
【００８０】
図５では、リソース指示情報は、端末装置の複数のリソースブロックを示すために使用される。ビットマップ方法が指示のために使用されてよい。ビットマップの中の各ビットは、６個のリソースブロックに対応する（ＲＥセットのリソース割り当て粒度が６個のリソースブロックである一例が説明のために使用される）。ＢＷＰ０は、ＣＯＲＥＳＥＴ０を含み、リソース割り当て指示情報のビットマップは｛’１００’｝である。言い換えると、ＣＯＲＥＳＥＴ０に含まれるＢＷＰ０の中の物理リソースブロックのインデックスは｛０，１，２，３，４，５｝である。ＢＷＰ１は、ＣＯＲＥＳＥＴ１を含み、リソース割り当て指示情報のビットマップは｛’１１’｝である。言い換えると、ＣＯＲＥＳＥＴ１に含まれるＢＷＰ１の中の物理リソースブロックのインデックスは｛０，１，２，３，４，５，６，７，８，９，１０，１１｝である。
【００８１】
ＣＯＲＥＳＥＴ０の中のインデックス｛１０，１１，１２，１３｝を有するＲＢに対応するＣｏｍｍｏｎ  ＲＢ  ｉｎｄｅｘは、図４に示すように、ＣＯＲＥＳＥＴ１の中のインデックス｛０，１，２，３｝を有するＲＢに対応するＣｏｍｍｏｎ  ＲＢ  ｉｎｄｅｘと同じである。したがって、ＢＷＰ０の中で、インデックス｛１０，１１，１２，１３｝を有するＲＢは、ＣＯＲＥＳＥＴ０に割り当てることができない。さらに、ＣＯＲＥＳＥＴのリソース割り当て粒度が６個のＲＢなので、ＢＷＰ０の中のＲＢインデックス｛６，７，８，９｝に対応する４個のＲＢは、リソース割り当て粒度のサイズ（６個のＲＢ）を満たすことができず、ＢＷＰ０の中のＣＯＲＥＳＥＴにより使用される又は使用のために別のＢＷＰに割り当てられることができない。したがって、ＢＷＰ０の中のインデックス｛６，７，８，９｝を有するＲＢは、リソースフラグメントになり、周波数スペクトル利用率を低下させる。
【００８２】
周波数ドメインにおけるＣＯＲＥＳＥＴのリソース粒度（６個のＲＢ）は、周波数ドメインにおける帯域幅部分のリソース粒度（１個のＲＢ）と一致しないので、ＣＯＲＥＳＥＴ構成のために使用できないリソースフラグメントが帯域幅部分の中に存在し、周波数スペクトル利用率を低下させる。データチャネル送信は同じ問題を有する。
【００８３】
留意すべきことに、用語「先頭リソースブロック」が、本発明の実施形態で使用される。用語の意味は、特定領域（例えば、共通インデックス領域又は帯域幅部分）に含まれるリソースブロックの中の最小サブキャリア番号に対応するリソースブロック、又は低周波数から高周波数までの番号付けされた含まれるリソースブロックの中の最小番号を有するリソースブロックであってよく、又は特定領域（例えば、共通インデックス領域又は帯域幅部分）に含まれるリソースブロックの中の最大サブキャリア番号に対応するリソースブロックであってよく、又は低周波数から高周波数までの番号付けされた含まれるリソースブロックの中の最大番号を有するリソースブロックであってよい。低周波数及び高周波数は、サブキャリア番号に対して定められる。より低い周波数位置のサブキャリア番号は、より高い周波数位置のサブキャリア番号より小さい。実施形態において特定の限定は課されない。特定の先頭リソースブロックは、実際の通信システム、ネットワーク装置からの通知、又は標準若しくはプロトコルにおける定義の要件に依存する。
【００８４】
さらに留意すべきことに、本発明の実施形態における「第１ビット」、「第２ビット」、「最後のビット」のような表現について、「第１ビット」の意味は、複数のビットの中の最上位ビット（Most  Significant  Bit、略称：MSB）であり、「第２ビット」の意味は、複数のビットの中のＭＳＢ以外の最上位ビットである、等である。「最後のビット」の意味は、複数のビットの中の最下位ビット（Least  Significant  Bit、略称：LSB）である。本発明の実施形態では、「第１」、「第２」、及び同様の表現は、ソリューションの説明を容易にするために使用される。
【００８５】
留意すべきことに、共通インデックス領域の先頭リソースブロックの周波数ドメイン位置、周波数ドメイン基準点の周波数ドメイン位置、共通インデックス領域の中のリソースブロックの数、ＢＷＰの先頭リソースブロックの位置、ＢＷＰに含まれるリソースブロックの数、及びサブキャリア間隔、のうちの任意の２つ以上の間に対応が存在してよい。対応は、基準又はプロトコルで定義され、ネットワーク装置により決定され、又はネットワーク装置により取得されてよい。ここで限定は課されない。マッピング関係は、本発明の実施形態の実装に影響を与えず、本発明の実施形態は全ての可能性をカバーする。
【００８６】
例えば、異なるサブキャリア間隔では、共通インデックス領域の中の先頭リソースブロックは、周波数ドメイン基準点に対して同じ周波数ドメイン位置又は異なる周波数ドメイン位置を有する。
【００８７】
別の例では、複数のＢＷＰの位置する複数の共通インデックス領域の先頭リソースブロックは、周波数ドメインにおいて揃えられ又は揃えられず、複数のＢＷＰについて構成されたサブキャリア間隔は同じであり又は異なる。
【００８８】
以下は、上述の本発明の共通の態様に基づき本発明の実施形態を更に詳細に説明する。起こり得るアップリンク及びダウンリンク待ち時間は、実施形態の説明において無視される。ネットワーク装置の送信時点は端末装置の受信時点と同じであると仮定する。ネットワーク装置の送信及び端末装置の受信に対応する処理は、大部分は、実施形態において端末装置側の観点から説明される。当業者は、「端末装置は、ネットワーク装置から．．．を受信する」が、ネットワーク装置が送信を実行したことを示すことを理解できる。本発明における「リソースブロックユニット」の表現について、当業者は、リソースブロックユニットが、対応するリソース割り当て粒度に基づくリソース構成を容易にするためのリソースブロックの論理的分割であることを理解できる。リソースブロックユニットは、リソースブロック分割のために使用される他の表現をカバーできる。
【００８９】
さらに、本発明の実施形態における多数のステップは、特定の実行処理のシーケンスを限定しない。ステップの実行シーケンスは、異なる任意的設計において適応的に調整される。本発明の実施形態において文字を使用することにより表現されるパラメータの値は、全て非負整数である。言い換えると、文字により示される値は全て非負整数である。
【００９０】
実施形態１
本発明の一実施形態は通信方法を提供する。方法では、端末装置は、リソース指示情報を取得する。リソース指示情報は端末装置のための複数のリソースブロックを示す。端末装置は、複数のリソースブロックのインデックス情報を決定する。本発明の本実施形態で提供される方法によると、ネットワーク装置は、アップリンク又はダウンリンクリソースを１つ以上の端末装置に効率的に割り当て又は再割り当てすることができ、それにより、端末装置の処理効率を向上する。
【００９１】
図６は、本発明の実施形態１の通信方法の特定の実装を示す。以下は、図６に基づき、本発明の実施形態１で提供されるソリューションを説明する。
【００９２】
ステップ６００。ネットワーク装置は、複数のリソースブロックを決定する。複数のリソースブロックは第１端末装置のために構成される。
【００９３】
任意で、ネットワーク装置は、第２端末装置のために、複数のリソースブロックと重なり合わない又は部分的に重なり合う複数のリソースブロックを更に構成する。後の表現を容易にするために、ネットワーク装置が複数のリソースブロックを構成する任意の端末装置は、単に「端末装置」として表現される。
【００９４】
決定ステップ及び／又は構成ステップは、ネットワーク装置のプロセッサ２０１により実行される。
【００９５】
ステップ６０１。ネットワーク装置は、リソース指示情報を端末装置へ送信する。リソース指示情報は、ステップ６００の複数のリソースブロックを示すために使用される。
【００９６】
このステップは、ネットワーク装置のトランシーバ２０２により実行され、又はネットワーク装置のプロセッサ２０１の制御下でトランシーバ２０２により実行されてよい。
【００９７】
任意で、リソース指示情報は、例えばビットマップ（bitmap）であってよい複数のビットを含んでよい。複数のビットの各々は、少なくとも１つのリソースブロック（少なくとも１つのリソースブロックが複数のリソースブロックであるとき、複数のリソースブロックは周波数ドメインにおいて連続している）が端末装置のためであるか否かを示すために使用される。具体的に、ビットの値が０であるとき、ビットの値は、該ビットに対応する少なくとも１つのリソースブロックが端末装置のために使用できないことを示すために使用され、又は、ビットの値が１であるとき、ビットの値は、該ビットに対応する少なくとも１つのリソースブロックが端末装置のために使用できることを示すために使用される。
【００９８】
リソース指示情報は、ビット値が１である複数のビットを含んでよい。これらのビットに対応するリソースブロックのセットは、端末装置のために構成される。
【００９９】
留意すべきことに、リソース指示情報に含まれる複数のビットの数、各ビットに対応する少なくとも１つのリソースブロックの位置、及び各ビットに対応するリソースブロックの数は、特定の構成方法とともに変化する。以下は、一例としての説明を提供する。説明を容易にするために、リソース指示情報に含まれるビットの数は、Ｓとして表され、Ｓは正整数である。
【０１００】
さらに留意すべきことに、ネットワーク装置は、各端末装置のための候補リソースブロックの複数のグループを構成し、例えば複数の候補ＢＷＰを構成してよい。各候補ＢＷＰは、端末装置のために使用可能なリソースブロックを含む。ここで言及される複数のリソースブロックは、候補リソースブロックのグループのうちの１つ、又は複数の候補ＢＷＰのうちの１つの中のリソースブロックであってよい。端末装置は、候補リソースブロックの複数のグループのうちの１つを用いてネットワーク装置へデータチャネルを送信すること、又は候補リソースブロックの複数のグループのうちの１つを用いて、ネットワーク装置から制御チャネルを受信すること若しくはネットワーク装置へ制御チャネルを送信することを決定する。
【０１０１】
任意で、リソース指示情報は、制御リソースセットＣＯＲＥＳＥＴ、例えばリソースブロックセット（Resource  Block  set,  RB  set）の周波数ドメインリソース構成情報であり、又はリソース指示情報は、データリソースセットの周波数ドメインリソース構成情報、例えば物理アップリンク共有チャネルＰＵＳＣＨ及び／又は物理ダウンリンク共有チャネルＰＤＳＣＨの周波数ドメインリソース構成情報である。
【０１０２】
ステップ６０２。端末装置は、リソース指示情報を取得する。リソース指示情報は、端末装置のための複数のリソースブロックを示すために使用される。
【０１０３】
取得ステップは、端末装置のトランシーバ３０１又はプロセッサ３０４により実行され、又はプロセッサ３０４の制御下でトランシーバ３０１により実行されてよい。
【０１０４】
ステップ６０３。端末装置は、複数のリソースブロックのインデックス情報を決定する。
【０１０５】
インデックス情報は、共通インデックス領域の中の複数のリソースブロックのインデックス情報、又は帯域幅部分の中の複数のリソースブロックのインデックス情報であってよい。
【０１０６】
任意で、複数のリソースブロックのインデックス情報は、複数のリソースブロックのうちの任意の１つ以上のリソースブロックインデックスであってよい。例えば、複数のリソースブロックの中の他のリソースブロックのインデックス情報は、複数のリソースブロックの先頭リソースブロックのインデックス情報を用いて決定されてよい。別の例では、複数のリソースブロックの位置は、複数のリソースブロックの先頭リソースブロックのインデックス情報を用いて決定されてよく、複数のリソースブロックの全部のインデックス情報を決定する必要がない。
【０１０７】
決定ステップは、端末装置のプロセッサ３０４により実行されてよい。
【０１０８】
具体的に、複数のリソースブロックのインデックス情報を決定した後に、端末装置は、複数のリソースブロックで、ネットワーク装置により送信された制御又はデータチャネルを受信し、又は複数のリソースブロックで、ネットワーク装置へデータチャネルを送信する。
【０１０９】
ステップ６００〜６０３で実施される通信方法を用いて、ネットワーク装置は、リソース指示情報を用いて、端末装置に、割り当てられた又は再割り当てされたアップリンク又はダウンリンクリソースを通知できる。その結果、端末装置は、リソースの位置を適時的方法で効率的に取得でき、それにより、端末装置の処理効率を向上する。
【０１１０】
留意すべきことに、本発明の実施形態１では、ネットワーク装置の決定動作はプロセッサ２０１を用いることにより実行されてよく、ネットワーク装置の送信及び受信動作はトランシーバ２０２を用いて実行され又はプロセッサ２０１の制御下でトランシーバ２０２を用いることにより実行されてよく、端末装置の決定動作はプロセッサ３０４を用いて実行されてよく、端末装置の取得動作はプロセッサ３０４又はトランシーバ３０１を用いて実行され又はプロセッサ３０４の制御下でトランシーバ３０１を用いることにより実行されてよく、具体的には取得方法に依存して、端末装置の送信及び受信動作はトランシーバ３０１を用いて実行されてよい。
【０１１１】
本発明の実施形態１では、端末装置のための複数のリソースブロックのインデックスは、共通インデックス領域リソースブロックインデックス（略称：Common  RB  index）に基づき構成され、又は帯域幅部分リソースブロックインデックス（略称：BWP  RB  index）に基づき構成されてよい。特定の構成方法は、ネットワーク装置により決定され、又は標準又はプロトコルにおける定義に基づき決定され、又は別の方法で決定されてよい。ここで限定は課されない。ＢＷＰの先頭リソースブロックは、共通インデックス領域の先頭リソースブロックに対する特定オフセット、以下では第２オフセットとも呼ばれる、を有してよい。留意すべきことに、共通インデックス領域及びＢＷＰ領域のリソースブロックインデックスは、独立したセットであり、言い換えると、別個に番号付けされ、共通インデックス領域及びＢＷＰ領域の両者の中のリソースブロックは、先頭リソースブロックから任意の番号から開始して、例えば０から開始して又は１から開始して、連続して番号付けできる。本発明の実施形態１は、特定の限定を課さない。特定の実装では、番号付けは、大分部が一例として０から開始する。
【０１１２】
第１の任意の設計では、端末装置のための複数のリソースブロックのインデックスは、Ｃｏｍｍｏｎ  ＲＢ  ｉｎｄｅｘに基づき構成される。この任意の設計では、Ｃｏｍｍｏｎ  ＲＢ  ｉｎｄｅｘは、共通インデックス領域のリソースブロックの中で構成された１つ以上のＢＷＰのインデックスとして使用されてよく、又は新しいＢＷＰ  ＲＢインデックスが、共通インデックス領域のリソースブロックの中で構成された１つ以上のＢＷＰのインデックスとして定められてよく、例えば番号付けがＲＢ０から開始する。しかしながら、端末装置のための複数のリソースブロックのインデックスは、Ｃｏｍｍｏｎ  ＲＢ  ｉｎｄｅｘに基づき構成される。
【０１１３】
任意で、方法は、ステップ６０２１を更に含む。端末装置は、第１オフセットを取得する。第１オフセットは、共通インデックス領域の先頭リソースブロックと周波数ドメイン基準点との間のオフセットであり、オフセットは、共通インデックス領域の先頭リソースブロックから周波数ドメイン基準点までのＲＢオフセットの数であってよい。周波数ドメイン基準点の説明については、上述の説明を参照する。異なるサブキャリア間隔は、同じ第１オフセット又は異なる第１オフセットに対応してよい。ここで特定の限定は課されない。
【０１１４】
任意で、端末装置は、共通インデックス領域のリソースブロックの数を更に取得する。リソースブロックの数を取得する特定の方法については、共通インデックス領域の中のリソースブロックの数の上述の説明を参照する。ここで特定の限定は課されない。端末装置は、任意の方法でリソースブロックの数を取得してよい。説明を容易にするために、共通インデックス領域のリソースブロックの数は、本発明の実施形態１ではＸ１と表される。
【０１１５】
任意で、ネットワーク装置は、第１オフセットを端末装置へ送信し、端末装置は、例えば上位レイヤシグナリングを用いて、第１オフセットをネットワーク装置から受信する。上位レイヤシグナリングはＲＲＣシグナリングであってよい。代替として、端末装置は、予め構成されたテーブル又は対応を用いて、第１オフセットを決定する。対応は、第１オフセットとサブキャリア間隔との間の対応、又は第１オフセットを取得するために使用され得る別の対応であってよい。代替として、第１オフセットは、指示、又は第１オフセットに対応する別の値に基づき取得されてよい。
【０１１６】
任意で、第１オフセットは、ＲＢの数であってよい。つまり、第１オフセットは、共通インデックス領域の先頭リソースブロックから周波数ドメイン基準点までのＲＢオフセットの数である。
【０１１７】
第１の可能な実装では、共通インデックス領域の先頭リソースブロックは、複数のリソースブロックの構成において整合のための境界として使用される。
【０１１８】
この可能な実装では、Ｓ個のビットの中の第１ビットは、共通インデックス領域の先頭リソースブロックから開始するｎ個のリソースブロックが端末装置のためであるか否かを示すために使用される。
【０１１９】
ｎの値はｍに等しく、リソース割り当て粒度であり、ネットワーク装置により決定され又は端末装置に通知され、又は予め構成されてよい。ｍは正整数である。
【０１２０】
例えば、ＮＲでは、周波数ドメインにおけるＣＯＲＥＳＥＴのＲＢ  ｓｅｔの割り当て粒度は、６個の連続するＲＢである。６個の連続するＲＢより少ないリソースは、ＲＢ  ｓｅｔリソース割り当てのために使用できない。この場合、ｍは６に等しい。
【０１２１】
図７は、前述のリソース構成方法を説明する一例である。図７で、複数のリソースブロック、例えば２４個のＲＢがＣｏｍｍｏｎ  ＲＢ  ｉｎｄｅｘに基づき構成されるとき、Ｓ個のビットの中の最初の４個のビットは、それぞれ、周波数ドメインにおいて６個の連続するＲＢを示し、第１ビットは、先頭リソースブロックから開始する６個の連続するＲＢを示す。任意で、複数のリソースブロックの数が６の整数倍ではない場合、最後のリソースブロックユニットに含まれるリソースブロックの数は、６より少ない。
【０１２２】
別の例では、データチャネル送信では、リソースブロックグループＲＢＧは、物理ダウンリンク共有チャネルＰＤＳＣＨ及び物理アップリンク共有チャネルＰＵＳＣＨのリソース構成の割り当て粒度として使用される。しかしながら、ＲＢＧサイズ（つまり、各ＲＢＧに含まれるＲＢの数）は、ＢＷＰ帯域幅に関連してよい。さらに、異なるＢＷＰは、異なるＲＢＧサイズに対応してよい。ＲＢＧサイズとＢＷＰ帯域幅との間の対応は、ネットワーク装置により決定され又は予め構成されてよい。任意で、対応は、表、例えば表３の形式で提示されてよい。表中の各エントリは、１個のＢＷＰ帯域幅サイズ、例えばＲＢの数に対応する。各エントリは、２個のＲＥＧサイズ構成を含む。したがって、ｍは、ＢＷＰ帯域幅のような関連するパラメータに基づき決定される必要がある。さらに、ＢＷＰが複数のＲＢＧサイズに対応するとき、ネットワーク装置は、さらに、ＲＢＧサイズのうちの１つをｍとして決定し、端末装置に通知する必要がある。通知の方法は、上位レイヤシグナリング、例えばＲＲＣシグナリングであってよい。例えば、ｍは１、２、４、８、３、６、又は１２であってよい。
表３
【表３】
2021502758.tif 000005
【０１２３】
任意で、Ｓ個のビットの中の第２ビットは、ｍ個のリソースブロックが端末装置のためであるか否かを示すために使用され、ｍ個のリソースブロックはＳ個のビットの中の第１ビットにより示されるｎ個のリソースブロックに隣接する。
【０１２４】
さらに、任意で、Ｓ個のビットの中の第３ビットにより示されるｍ個のリソースブロックは、第２ビットにより示されるｍ個のリソースブロックに隣接する。
【０１２５】
この可能な実装では、Ｓは以下のうちのいずれかであってよい。
【０１２６】
値１：
【数１】
2021502758.tif 000006
【０１２７】
値２：
【数２】
2021502758.tif 000007
Ｓ個のビットの中の最後のビットにより示されるリソースブロックの数はｍより少ない。
【０１２８】
この可能な実装では、共通インデックス領域の先頭リソースブロックから開始するｍ個の連続するＲＢは、リソース構成のための１つのリソースブロックユニットとして使用されてよい。このような構成方法では、ネットワーク装置は、リソースブロックユニットの境界を揃える方法で、複数の端末装置のためのリソースを構成し、具体的に言うと、複数の端末装置又は複数のリソースのためにリソース構成を実行するためにｍ個のＲＢをユニットとして使用することを試みることができ、ｍ個のリソースブロックをリソースブロックユニットとして使用することにより端末装置のために構成されたリソースブロックが先頭ＲＢに対して境界で揃えられることを保証し、言い換えると、割り当てることのできないリソースブロックフラグメント（ｍより少ないＲＢのフラグメント）を可能な限り回避するために、端末装置のために構成された各リソースブロックユニットの境界と先頭ＲＢとの間のＲＢオフセットの数がｍの倍数であることを保証し、それにより、リソース利用効率を向上する。境界は、リソースブロックユニットの低周波数境界リソースブロック及び高周波数境界リソースブロックのうちの少なくとも１つであってよい。
【０１２９】
留意すべきことに、本発明の実施形態１におけるこのようなリソースブロックユニット分割は、単に論理的分割であり、物理リソースには存在しない。
【０１３０】
第２の可能な実装では、周波数ドメイン基準点は、複数のリソースブロックの構成において整合のための境界として使用される。
【０１３１】
この可能な実装では、Ｓ個のビットの中の第１ビットは、共通インデックス領域の先頭リソースブロックから開始するｎ個のリソースブロックが端末装置のためであるか否かを示すために使用される。ｎは、第１オフセット及びｍに基づき決定され、ｎは０より大きい。ｍの説明については、上述の説明を参照する。詳細はここで再び記載されない。
【０１３２】
任意で、ｎは第１オフセット及びｍに基づき決定され、ｎはｙ１に等しく、又はｎはｍ−ｙ１に等しく、ここで、ｙ１はｍを法とする第１オフセット、つまり第１オフセットｍｏｄ  ｍの値に等しい。
【０１３３】
第１の任意の実装では、第１オフセットが先頭リソースブロックＲＢから低周波数方向に向かう周波数ドメイン基準点に対するオフセットであるとき、ｙ１が０に等しくない場合、ｎはｙ１に等しく、又はｙ１が０に等しい場合、ｎはｍ−ｙ１に等しい。このように、第１ビットは、先頭ＲＢから開始するｙ１個のリソースブロックを示し、リソース構成は、第（ｙ１＋１）のリソースブロックから開始するリソースブロックユニットとしてｍ個のＲＢを使用しようとすることにより、実行される。その結果、周波数ドメイン基準点はリソースブロックユニット割り当ての論理的境界に位置する。
【０１３４】
別の例では、第１オフセットが先頭リソースブロックＲＢから高周波数方向に向かう周波数ドメイン基準点までのオフセットであるとき、ｎはｍ−ｙ１に等しく、ｙ１はｍを法とする第１オフセット、つまり第１オフセットｍｏｄ  ｍに等しい。このように、第１ビットは、先頭ＲＢから開始する（ｍ−ｙ１）個のリソースブロックを示し、（ｍ−ｙ１）個のリソースブロック及び第１オフセットのｙ１個のＲＢフラグメントは、量の観点でｍ個のリソースブロックのリソースブロックユニットを形成することができる。その結果、周波数ドメイン基準点はリソースブロックユニット割り当ての論理的境界に位置する。
【０１３５】
任意で、Ｓ個のビットの中の第２ビットは、ｍ個のリソースブロックが端末装置のためであるか否かを示すために使用され、ｍ個のリソースブロックはＳ個のビットの中の第１ビットにより示されるｎ個のリソースブロックに隣接する。
【０１３６】
さらに、任意で、Ｓ個のビットの中の第３ビットにより示されるｍ個のリソースブロックは、第２ビットにより示されるｍ個のリソースブロックに隣接する。
【０１３７】
可能な実装では、Ｓは以下のうちの１つであってよく、具体的には、実際の通信シナリオの要件又は構成に依存する。
【０１３８】
値１：
【数３】
2021502758.tif 000008
【０１３９】
値２：
【数４】
2021502758.tif 000009
【０１４０】
値３：
【数５】
2021502758.tif 000010
【０１４１】
値４：
【数６】
2021502758.tif 000011
【０１４２】
この可能な実装と第１の可能な実装との間の相違は、整合位置にある。第１の可能な実装では、共通インデックス領域の中の先頭ＲＢは、整合位置として使用される。第２の可能な実装では、周波数ドメイン基準点が、整合位置として使用される。しかしながら、処理方法は同様である。
【０１４３】
この可能な実装では、周波数ドメイン基準点は、リソースブロックユニット構成の境界として使用されてよい。このような構成方法では、ネットワーク装置は、リソースブロックユニットの境界を揃える方法で、複数の端末装置のためのリソースを構成でき、具体的に言うと、ｍ個のＲＢをユニットとして使用することにより実行されるリソース構成のために、リソースブロックユニット境界として周波数ドメイン基準点を使用して、ｍ個のリソースブロックをリソースブロックユニットとして使用することにより各端末装置のために構成されたリソースブロックが周波数ドメイン基準点に対して境界で揃えられることを保証し、言い換えると、割り当てることのできないリソースブロックフラグメント（ｍより少ないＲＢのフラグメント）を可能な限り回避するために、端末装置のために構成された各リソースブロックユニットの境界から周波数ドメイン基準点までのＲＢオフセットの数がｍの倍数であることを保証し、それにより、リソース利用効率を向上する。境界は、リソースブロックユニットの低周波数境界リソースブロック及び高周波数境界リソースブロックのうちの少なくとも１つであってよい。
【０１４４】
第３の可能な実装では、ステップ６０３で、端末装置により、複数のリソースブロックのインデックス情報を決定するステップは、オフセット指示情報を用いて実行される。
【０１４５】
方法は、ステップ６０２３を更に含む。ネットワーク装置は、オフセット指示情報を端末装置へ送信し、端末装置は、オフセット指示情報を取得する。オフセット指示情報は、リソース指示基準リソースブロックから共通インデックス領域の先頭リソースブロックまでのＲＢオフセットの数Ｑを示すために使用される。リソース指示基準リソースブロックは、ネットワーク装置により決定され、又はプロトコル若しくは標準により定められ、又は予め構成されてよく、リソース指示情報の中の第１ビットにより示される少なくとも１個のリソースブロックの中の第１ＲＢ又は最後のＲＢであってよい。ここで、「第１」及び「最後」は、低周波数位置のうちの「第１」及び「最後」、又は高周波数位置のうちの「第１」及び「最後」であってよい。高周波数及び低周波数の定義については、上述の説明を参照する。機能の観点から、リソース指示基準リソースブロックの構成は、端末装置により、複数のリソースブロックのインデックス情報を決定するために使用される。
【０１４６】
例えば、リソース指示基準リソースブロックから共通インデックス領域の先頭リソースブロックまでのＲＢオフセットの数Ｑは、共通インデックス領域の先頭リソースブロックから高周波数方向に向かい開始するＱ個の連続するリソースブロックを示すため、例えば、リソースブロックが０から番号付けされるとき、共通インデックス領域の中のＱ個の連続するリソースブロックＲＢ０，ＲＢ１，．．．，ＲＢｍ−１を示すために使用される。Ｑは、０以上であり、且つｍより小さい。ｍについては、上述の説明を参照する。
【０１４７】
別の例では、リソース指示基準リソースブロックが、リソース指示情報の中の第１ビットにより示される少なくとも１個のリソースブロックの中の最後のＲＢであるとき、Ｓ個のビットの中の第１ビットは、先頭ＲＢから開始するＱ個の連続するリソースブロックに対応し、Ｑは０に等しくない。
【０１４８】
別の例では、リソース指示基準リソースブロックがリソース指示情報の中の第１ビットにより示される少なくとも１個のリソースブロックの中の第１ＲＢであるとき、Ｑが０に等しい場合、Ｓ個のビットの中の第１ビットは共通インデックス領域の先頭リソースブロックから開始するｍ個の連続するリソースブロックに対応し、又は、Ｑが０に等しくない場合、Ｓ個のビットの中の第１ビットは、共通インデックス領域の先頭リソースブロックから開始するＱ個の連続するリソースブロックに隣接するｍ個の連続するリソースブロックに対応する。
【０１４９】
さらに、任意で、Ｓ個のビットの中の第２ビットは、共通インデックス領域の中の第１ビットに対応するリソースブロックに隣接するｍ個のリソースブロックに対応する。
【０１５０】
任意で、オフセット指示情報は、ダウンリンク制御情報ＤＣＩ又は上位レイヤシグナリングで運ばれ、ネットワーク装置により端末装置に通知され、又はネットワーク装置により端末装置に予め通知され、端末装置により格納される。
【０１５１】
さらに、任意で、以下の表４に記載されるように、オフセット指示情報は、複数のビットであってよく、複数のビットにより示される値は、オフセットＲＢの数を表す。
表４
【表４】
2021502758.tif 000012
【０１５２】
この可能な実装では、リソース指示情報を端末装置へ送信することに加えて、ネットワーク装置は、さらに、端末装置に、リソース指示情報により示されるリソースブロックの一部の位置情報を示す。その結果、端末装置は、リソース構成情報を正確に且つ効率的に取得でき、それにより、端末装置の処理効率を向上する。
【０１５３】
第２の任意の設計では、端末装置のための複数のリソースブロックは、ＢＷＰのリソースブロックインデックス（RB  index）に基づき構成される。
【０１５４】
任意で、方法は、第１の任意の設計で、ステップ６０２１を更に含む。詳細については、上述の説明を参照する。
【０１５５】
任意で、方法は、ステップ６０２２を更に含む。端末装置は、第２オフセットを取得する。第２オフセットは、共通インデックス領域の先頭リソースブロックとキャリア帯域幅部分ＢＷＰの先頭リソースブロックとの間のオフセットであり、オフセットは、共通インデックス領域の先頭リソースブロックからキャリア帯域幅部分ＢＷＰの先頭リソースブロックまでのＲＢオフセットの数であってよい。
【０１５６】
任意で、端末装置は、ＢＷＰの中のリソースブロックの数を更に取得する。ＢＷＰの中のリソースブロックの数は、ルックアップテーブルを通じて決定され、又はネットワーク装置の通知を受信することにより決定され、又は標準若しくはプロトコルにおける定義に基づき決定されてよい。ここで限定は課されない。例えば、ＢＷＰの中のリソースブロックの数は、上位レイヤシグナリング、例えばＲＲＣシグナリングを用いて示されてよい。説明を容易にするために、ＢＷＰの中のリソースブロックの数は、本発明の実施形態１ではＸ２と表される。
【０１５７】
さらに、任意で、ネットワーク装置は、第２オフセットを端末装置へ送信し、端末装置は、例えば上位レイヤシグナリングを用いて、第２オフセットをネットワーク装置から受信する。上位レイヤシグナリングはＲＲＣシグナリングであってよい。代替として、端末装置は、予め構成されたテーブル又は対応を用いて、第２オフセットを決定する。対応は、第２オフセットとサブキャリア間隔との間の対応、又は第２オフセットを取得するために使用され得る別の対応であってよい。代替として、第２オフセットは、さらに、指示、又は第２オフセットに対応する別の値に基づき取得されてよい。ここで限定は課されない。
【０１５８】
具体的に、第２オフセットは、ＲＢの数であってよい。具体的に、第２オフセットは、ＢＷＰの先頭リソースブロックから共通インデックス領域の先頭リソースブロックまでのＲＢオフセットの数である。
【０１５９】
第１の可能な実装では、共通インデックス領域の先頭リソースブロックは、複数のリソースブロックの構成において整合のための境界として使用される。
【０１６０】
可能な実装では、Ｓ個のビットの中の第１ビットは、帯域幅部分ＢＷＰの先頭リソースブロックから開始するｎ個の連続するリソースブロックが端末装置のためであるか否かを示すために使用され、又は帯域幅部分ＢＷＰの先頭リソースブロックから開始するｎ個の連続するリソースブロックに隣接するｍ個のリソースブロックが端末装置のためであるか否かを示すために使用される。ｎは、ｍ及び第２オフセットに基づき決定され、ｎは０より大きい。ｍの説明については、上述の説明を参照する。詳細はここで再び記載されない。
【０１６１】
ＢＷＰの中の周波数ドメインリソースは、共通インデックス領域の中の周波数ドメインリソースの一部又は全部のリソースブロックである。これに基づき、第２オフセットは、ＢＷＰの先頭リソースブロックから高周波数方向に向かう共通インデックス領域の中の先頭ＲＢまでのオフセットである。
【０１６２】
具体的に、ｎはｍ−ｙ２に等しく、ｙ２は、ｍを法とする第２オフセット、つまり第２オフセットｍｏｄ  ｍの値に等しい。
【０１６３】
任意で、ｙ２が０に等しい場合、Ｓ個のビットの中の第１ビットは、帯域幅部分ＢＷＰの先頭リソースブロックから開始するｎ個の連続するリソースブロックが端末装置のためであるか否かを示すために使用される。
【０１６４】
任意で、ｙ２が０に等しくない場合、Ｓ個のビットの中の第１ビットは、帯域幅部分ＢＷＰの先頭リソースブロックから開始するｎ個の連続するリソースブロックに隣接するｍ個のリソースブロックが端末装置のためであるか否かを示すために使用される。
【０１６５】
任意で、ｙ２が０に等しくない場合、Ｓ個のビットの中の第１ビットは、帯域幅部分ＢＷＰの先頭リソースブロックから開始するｎ個の連続するリソースブロックが端末装置のためであるか否かを示すために使用される。
【０１６６】
図８を参照すると、ネットワーク装置により少なくとも１つの端末装置のために構成されたＢＷＰ０及びＢＷＰ１は、両方とも、共通インデックス領域の中のリソースブロックの中に位置する。ＢＷＰ０の先頭位置は、共通インデックス領域の中の先頭リソースブロックから高周波数方向に向かう１個のＲＢオフセットであり、ＢＷＰ１の先頭位置は、共通インデックス領域の中の先頭リソースブロックから高周波数方向に向かう４個のＲＢオフセットである。共通インデックス領域の先頭リソースブロックをリソースブロックユニット構成の境界として使用するために、ＢＷＰ０の先頭リソースブロックから開始して、最初の５個のＲＢ、ＲＢ０−ＲＢ４は１つのリソースブロックユニットとして使用され、ＲＢ５−ＲＢ１０は１つのリソースブロックユニットとして使用され、以下同様である。これは、ＢＷＰの中の第２リソースブロックユニットの先頭リソースブロックＲＢ５から共通インデックス領域の先頭リソースブロックまでのＲＢオフセットの数が、６の整数倍であることを保証することができる。同様に、ＢＷＰ０の中の第３リソースブロックユニットの先頭リソースブロックＲＢ１１から共通インデックス領域の先頭リソースブロックまでのＲＢオフセットの数も、６の整数倍である。同様に、ＢＷＰ１の中のＲＢ０及びＲＢ１は、１つのリソースブロックユニットとして使用される。本実装では、ネットワーク装置がＢＷＰ０及びＢＷＰ１に加えて更に多くのＢＷＰを構成し得る場合でも、各リソースブロックユニットの先頭又は最後のリソースブロックから共通インデックス領域の中の先頭リソースブロックＲＢまでのＲＢオフセットの数がｍの整数倍であるので、複数のＢＷＰの重なり合った部分の中にできるだけ少ないリソースフラグメントしか存在しないことを保証できる。
【０１６７】
任意で、Ｓ個のビットの中の第２ビットは、ｍ個のリソースブロックが端末装置のためであるか否かを示すために使用され、ｍ個のリソースブロックはＳ個のビットの中の第１ビットにより示されるｎ個のリソースブロックに隣接する。
【０１６８】
さらに、任意で、Ｓ個のビットの中の第３ビットにより示されるｍ個のリソースブロックは、第２ビットにより示されるｍ個のリソースブロックに隣接する。
【０１６９】
この可能な実装では、Ｓは以下のうちのいずれか１つであってよい。
【０１７０】
値１：
【数７】
2021502758.tif 000013
【０１７１】
値２：
【数８】
2021502758.tif 000014
【０１７２】
値３：
【数９】
2021502758.tif 000015
【０１７３】
値４：
【数１０】
2021502758.tif 000016
【０１７４】
この可能な実装では、共通インデックス領域の先頭リソースブロックは、リソースブロックユニット構成の境界として使用されてよい。このような構成方法では、ネットワーク装置は、リソースブロックユニットの境界を揃える方法で、複数の端末装置のためのリソースを構成し、具体的に言うと、リソース構成を実行するためにｍ個のＲＢをユニットとして使用することができ、ｍ個のリソースブロックをリソースブロックユニットとして使用することにより端末装置のために構成されたリソースブロックが先頭ＲＢに対して境界で揃えられることを保証し、言い換えると、割り当てることのできないリソースブロックフラグメント（ｍより少ないＲＢのフラグメント）を可能な限り回避するために、端末装置のために構成された各リソースブロックユニットの境界と先頭ＲＢとの間のオフセットＲＢの数がｍの倍数であることを保証し、それにより、リソース利用効率を向上する。境界は、リソースブロックユニットの低周波数境界リソースブロック及び高周波数境界リソースブロックのうちの少なくとも１つであってよい。
【０１７５】
第２の可能な実装では、周波数ドメイン基準点は、複数のリソースブロックの構成において整合のための境界として使用される。
【０１７６】
可能な実装では、Ｓ個のビットの中の第１ビットは、帯域幅部分ＢＷＰの先頭リソースブロックから開始するｎ個の連続するリソースブロックが端末装置のためであるか否かを示すために使用され、又は帯域幅部分ＢＷＰの先頭リソースブロックから開始するｎ個の連続するリソースブロックに隣接するｍ個のリソースブロックが端末装置のためであるか否かを示すために使用される。ｎは、ｍ及び第３オフセットに基づき決定され、ｎは０より大きい。ｍの説明については、上述の説明を参照する。詳細はここで再び記載されない。
【０１７７】
任意で、ｎはｙ３に等しく、又はｍとｙ３との間の差に等しく、ｙ３は第３オフセットｍｏｄ  ｍの値に等しい。第３オフセットは、第１オフセット及び第２オフセットに関連する。具体的に、第３オフセットは、ＢＷＰの先頭リソースブロックと周波数ドメイン基準点との間のオフセットである。代替として、第３オフセットは、第１オフセット及び第２オフセットに基づき決定される代わりに、指示、又は第３オフセットに対応する別の値に基づき更に取得されてよい。
【０１７８】
さらに、任意で、第３オフセットは、オフセットＲＢの数であってよい。具体的に言うと、第３オフセットは、ＢＷＰの先頭リソースブロックから周波数ドメイン基準点までのＲＢオフセットの数である。
【０１７９】
例えば、第３オフセットが、ＢＷＰの中の先頭リソースブロックＲＢの、低周波数方向に向かう周波数ドメイン基準点に対するオフセットであるとき、ｎはｙ３に等しく又はｍ−ｙ３に等しく、ｙ３は、ｍを法とする第３オフセット、つまり第３オフセットｍｏｄ  ｍの値に等しい。このように、第１ビットは、ＢＷＰの先頭リソースブロックから開始するy３個のリソースブロックを示し、リソース構成は、第（y３＋１）のリソースブロックから開始するリソースブロックユニットとしてｍ個のＲＢを使用しようとすることにより、実行される。その結果、周波数ドメイン基準点はリソースブロックユニット割り当ての論理的境界に位置する。
【０１８０】
この場合、任意で、ｙ３が０に等しくない場合、ｎはｙ３に等しく、Ｓ個のビットの中の第１ビットは、帯域幅部分ＢＷＰの先頭リソースブロックから開始するｎ個の連続するリソースブロックが端末装置のためであるか否かを示すために使用され、又は帯域幅部分ＢＷＰの先頭リソースブロックから開始するｎ個の連続するリソースブロックに隣接するｍ個のリソースブロックが端末装置のためであるか否かを示すために使用され、任意で、ｙ３が０に等しい場合、ｎはｍからｙ３を減算することにより取得される値に等しく、言い換えると、ｍに等しく、Ｓ個のビットの中の第１ビットは、帯域幅部分ＢＷＰの先頭リソースブロックから開始するｎ個の連続するリソースブロックが端末装置のためであるか否かを示すために使用される。
【０１８１】
別の例では、第３オフセットがＢＷＰの先頭リソースブロックから高周波数方向に向かう周波数ドメイン基準点に対するオフセットであるとき、ｎは、ｍからｙ３を減じたもの、つまり（ｍ−ｙ３）に等しく、ｙ３はｍを法とする第３オフセット、つまり第３オフセットｍｏｄ  ｍの値に等しい。このように、第１ビットは、ＢＷＰの先頭リソースブロックから開始する（ｍ−y３）個のリソースブロックを示し、（ｍ−y３）個のリソースブロック及び第３オフセットのy３個のＲＢフラグメントは、量の観点でｍ個のリソースブロックのリソースブロックユニットを形成できる。その結果、周波数ドメイン基準点はリソースブロックユニット割り当ての論理的境界に位置する。
【０１８２】
この場合、任意で、ｙ３が０に等しい場合、Ｓ個のビットの中の第１ビットは、帯域幅部分ＢＷＰの先頭リソースブロックから開始するｎ個の連続するリソースブロックが端末装置のためであるか否かを示すために使用され、任意で、ｙ３が０に等しくない場合、Ｓ個のビットの中の第１ビットは、帯域幅部分ＢＷＰの先頭リソースブロックから開始するｎ個の連続するリソースブロックが端末装置のためであるか否かを示すために使用され、又は、帯域幅部分ＢＷＰの先頭リソースブロックから開始するｎ個の連続するリソースブロックに隣接するｍ個のリソースブロックが端末装置のためであるか否かを示すために使用される。
【０１８３】
任意で、Ｓ個のビットの中の第２ビットは、ｍ個のリソースブロックが端末装置のためであるか否かを示すために使用され、ｍ個のリソースブロックはＳ個のビットの中の第１ビットにより示されるｎ個のリソースブロックに隣接する。任意で、「隣接する」は、「高周波数方向に隣接する」である。
【０１８４】
さらに、任意で、Ｓ個のビットの中の第３ビットにより示されるｍ個のリソースブロックは、第２ビットにより示されるｍ個のリソースブロックに隣接する。
【０１８５】
この可能な実装では、Ｓは以下のうちのいずれか１つであってよい。
【０１８６】
値１：
【数１１】
2021502758.tif 000017
【０１８７】
値２：
【数１２】
2021502758.tif 000018
【０１８８】
値３：
【数１３】
2021502758.tif 000019
【０１８９】
値４：
【数１４】
2021502758.tif 000020
【０１９０】
この可能な実装では、周波数ドメイン基準点は、リソースブロックユニット構成の境界として使用されてよい。このような構成方法では、ネットワーク装置は、リソースブロックユニットの境界を揃える方法で、複数の端末装置のためのリソースを構成でき、具体的に言うと、ｍ個のＲＢをユニットとして使用することにより実行されるリソース構成のために、境界として周波数ドメイン基準点を使用して、ｍ個のリソースブロックをリソースブロックユニットとして使用することにより各端末装置のために構成されたリソースブロックが周波数ドメイン基準点に対して境界で揃えられることを保証し、言い換えると、割り当てることのできないリソースブロックフラグメント（ｍより少ないＲＢのフラグメント）を可能な限り回避するために、端末装置のために構成された各リソースブロックユニットの境界と周波数ドメイン基準点との間のＲＢオフセットの数がｍの倍数であることを保証し、それにより、リソース利用効率を向上する。境界は、リソースブロックユニットの低周波数境界リソースブロック及び高周波数境界リソースブロックのうちの少なくとも１つであってよい。
【０１９１】
第３の可能な実装では、ステップ６０３で、端末装置により、複数のリソースブロックのインデックス情報を決定するステップは、オフセット指示情報を用いて実行される。
【０１９２】
方法は、ステップ６０２３を更に含む。ネットワーク装置は、オフセット指示情報を端末装置へ送信し、端末装置は、オフセット指示情報を取得する。オフセット指示情報は、リソース指示基準リソースブロックから共通インデックス領域の先頭リソースブロック又はＢＷＰの先頭リソースブロックまでのＲＢオフセットの数Ｑを示すために使用される。リソース指示基準リソースブロック及びオフセット指示情報の説明については、上述の説明を参照する。詳細はここで再び記載されない。
【０１９３】
例えば、オフセットＲＢの数Ｑは、共通インデックス領域の先頭リソースブロック又はＢＷＰの先頭リソースブロックから開始するＱ個の連続するリソースブロックを示すために、例えば共通インデックス領域の先頭リソースブロック又はＢＷＰの先頭リソースブロックから開始するＱ個の連続するリソースブロックＲＢ０，ＲＢ１，．．．，ＲＢｍ−１を示すために使用される。Ｑは、０以上であり、且つｍより小さい。ｍについては、上述の説明を参照する。
【０１９４】
別の例では、リソース指示基準リソースブロックが、リソース指示情報の中の第１ビットにより示される少なくとも１個のリソースブロックの中の最後のＲＢであるとき、Ｓ個のビットの中の第１ビットは、共通インデックス領域の先頭リソースブロック又はＢＷＰの先頭リソースブロックから開始するＱ個の連続するリソースブロックに対応し、Ｑは０ではない。
【０１９５】
別の例では、リソース指示基準リソースブロックが、リソース指示情報の中の第１ビットにより示される少なくとも１個のリソースブロックの中の第１ＲＢであるとき、Ｓ個のビットの中の第１ビットは、共通インデックス領域の先頭リソースブロック又はＢＷＰの先頭リソースブロックから開始するｍ個の連続するリソースブロックに対応し、Ｑは０である。
【０１９６】
この任意の設計では、ネットワーク装置は、ＢＷＰリソースブロックインデックスＲＢ  ｉｎｄｅｘに基づき、端末装置のためにリソースブロックを構成する。オフセット指示情報が共通インデックス領域の先頭リソースブロックから開始するＱ個の連続するリソースブロックを示すとき、端末装置は、オフセット指示情報及び第２オフセットを用いて、複数のリソースブロックのインデックス情報を決定する。
【０１９７】
さらに、任意で、Ｓ個のビットの中の第２ビットは、共通インデックス領域又はＢＷＰの中の第１ビットに対応するリソースブロックに隣接するｍ個のリソースブロックに対応する。
【０１９８】
任意で、オフセット指示情報は、ダウンリンク制御情報ＤＣＩ又は上位レイヤシグナリングで運ばれ、ネットワーク装置により端末装置に通知され、又はネットワーク装置により端末装置に予め通知され、端末装置により格納される。
【０１９９】
さらに、任意で、表４に記載されるように、オフセット指示情報は、複数のビットであってよく、複数のビットにより示される値は、オフセットＲＢの数を表す。
【０２００】
この可能な実装では、リソース指示情報を端末装置へ送信することに加えて、ネットワーク装置は、さらに、端末装置に、リソース指示情報により示されるリソースブロックの一部の先頭位置を示す。その結果、端末装置は、リソース構成情報を効率的に取得でき、それにより、端末装置の処理効率を向上する。
【０２０１】
第３の任意の設計では、ネットワーク装置は、Ｃｏｍｍｏｎ  ＲＢ  ｉｎｄｅｘに基づき、端末装置のためにリソースブロックを構成する。
【０２０２】
任意で、方法は、第１の任意の設計で、ステップ６０２１を更に含む。詳細については、上述の説明を参照する。
【０２０３】
任意で、方法は、第２の任意の設計で、ステップ６０２２を更に含む。詳細については、上述の説明を参照する。
【０２０４】
さらに、端末装置は、共通インデックス領域の中のリソースブロックの数Ｘ１、及びＢＷＰの中のリソースブロックの数Ｘ２を更に取得する。Ｘ１及びＸ２の説明については、上述の説明を参照する。Ｘ１及びＸ２の意味は、上述のものと同じである。
【０２０５】
第１の可能な実装では、共通インデックス領域の先頭リソースブロックは、複数のリソースブロックの構成において整合のための境界として使用される。
【０２０６】
可能な実装では、Ｓ個のビットの中の第１ビットは、ＢＷＰの先頭リソースブロックから開始するｎ個のリソースブロックが端末装置のためであるか否かを示すために使用され、又は帯域幅部分ＢＷＰの先頭リソースブロックから開始するｎ個の連続するリソースブロックに隣接するｍ個のリソースブロックが端末装置のためであるか否かを示すために使用される。ＢＷＰの先頭リソースブロックのインデックスは、共通インデックス領域のリソースブロックのインデックスを用い、共通インデックス領域の先頭リソースブロックのインデックス及び第２オフセットに基づき決定される。ｎは、第２オフセット及びｍに基づき決定され、ｎ＞０である。ｍの説明については、上述の説明を参照する。詳細はここで再び記載されない。
【０２０７】
例えば、Ｃｏｍｍｏｎの先頭リソースブロックのＲＢインデックスは０であり、ＢＷＰの先頭リソースブロックのインデックスは共通インデックス領域において（０＋第２オフセット）である。
【０２０８】
ＢＷＰの中の周波数ドメインリソースは、共通インデックス領域の中の周波数ドメインリソースの一部又は全部のリソースブロックである。これに基づき、第２オフセットは、ＢＷＰの先頭リソースブロックの高周波数方向におけるＣｏｍｍｏｎ  ｉｎｄｅｘ  ｓｃｈｅｍｅの先頭リソースブロックに対するオフセットである。
【０２０９】
具体的に、ｎはｍ−ｙ２に等しく、ｙ２は、ｍを法とする第２オフセット、つまり第２オフセットｍｏｄ  ｍの値に等しい。ｙ２とＳ個のビットの中の第１ビットにより示されるリソースブロック位置との間の任意的な対応については、第２の任意の設計における第１の可能な実装の説明を参照する。
【０２１０】
任意で、Ｓ個のビットの中の第２ビットは、ｍ個のリソースブロックが端末装置のためであるか否かを示すために使用され、ｍ個のリソースブロックはＳ個のビットの中の第１ビットにより示されるｎ個のリソースブロックに隣接する。
【０２１１】
さらに、任意で、Ｓ個のビットの中の３番目により示されるｍ個のリソースブロックは、第２ビットにより示されるｍ個のリソースブロックに隣接する。
【０２１２】
この可能な実装では、Ｓは以下のうちのいずれか１つであってよい。
【０２１３】
値１：
【数１５】
2021502758.tif 000021
【０２１４】
値２：
【数１６】
2021502758.tif 000022
【０２１５】
値３：
【数１７】
2021502758.tif 000023
【０２１６】
値４：
【数１８】
2021502758.tif 000024
【０２１７】
この可能な実装では、共通インデックス領域の先頭リソースブロックは、リソースブロックユニット構成の境界として使用されてよい。このような構成方法では、ネットワーク装置は、リソースブロックユニットの境界を揃える方法で、複数の端末装置のためのリソースを構成し、具体的に言うと、リソース構成を実行するためにｍ個のＲＢをユニットとして使用することができ、ｍ個のリソースブロックをリソースブロックユニットとして使用することにより端末装置のために構成されたリソースブロックが先頭リソースブロックに対して境界で揃えられることを保証し、言い換えると、割り当てることのできないリソースブロックフラグメント（ｍより少ないＲＢのフラグメント）を可能な限り回避するために、端末装置のために構成された各リソースブロックユニットの境界と先頭ＲＢとの間のオフセットＲＢの数がｍの倍数であることを保証し、それにより、リソース利用効率を向上する。境界は、リソースブロックユニットの低周波数境界リソースブロック及び高周波数境界リソースブロックのうちの少なくとも１つであってよい。
【０２１８】
第２の可能な実装では、周波数ドメイン基準点は、複数のリソースブロックの構成において整合のための境界として使用される。
【０２１９】
可能な実装では、Ｓ個のビットの中の第１ビットは、ＢＷＰの先頭リソースブロックから開始するｎ個のリソースブロックが端末装置のためであるか否かを示すために使用され、又は帯域幅部分ＢＷＰの先頭リソースブロックから開始するｎ個の連続するリソースブロックに隣接するｍ個のリソースブロックが端末装置のためであるか否かを示すために使用される。ＢＷＰの先頭リソースブロックのインデックスは、共通インデックス領域のリソースブロックのインデックスを用い、共通インデックス領域の先頭リソースブロックのインデックス及び第２オフセットに基づき決定される。ｎは、ｍ及び第３オフセットに基づき決定され、ｎは０より大きい。ｍの説明については、上述の説明を参照する。詳細はここで再び記載されない。
【０２２０】
例えば、Ｃｏｍｍｏｎの先頭リソースブロックのＲＢインデックスは０であり、ＢＷＰの先頭リソースブロックのインデックスは共通インデックス領域において（０＋第２オフセット）である。
【０２２１】
任意で、ｎはｙ３に等しく、又はｍとｙ３との間の差に等しく、ｙ３は第３オフセットｍｏｄ  ｍの値に等しい。第３オフセットは、第１オフセット及び第２オフセットに関連する。具体的に、第３オフセットは、ＢＷＰの先頭リソースブロックＲ０と周波数ドメイン基準点との間にある、第１オフセット及び第２オフセットに基づき取得されるオフセットである。代替として、第３オフセットは、第１オフセット及び第２オフセットに基づき決定される代わりに、指示、又は第３オフセットに対応する別の値に基づき更に取得されてよい。
【０２２２】
さらに、任意で、第３オフセットは、オフセットＲＢの数であってよい。具体的に言うと、第３オフセットは、ＢＷＰの先頭リソースブロックＲ０から周波数ドメイン基準点までのＲＢオフセットの数である。
【０２２３】
例えば、第３オフセットがＢＷＰの先頭リソースブロックから低周波数方向に向かう周波数ドメイン基準点に対するオフセットであるとき、ｎはy３に等しく、又はｍ−ｙ３に等しい。ｙ３の値は、ｍを法とする第３オフセット、つまり第３オフセットｍｏｄ  ｍの値に等しい。このように、第１ビットは、ＢＷＰの先頭リソースブロックから開始するy３個のリソースブロックを示し、リソース構成は、第（y３＋１）のリソースブロックから開始するｍ個のＲＢをリソースブロックユニットとして使用しようとすることにより、実行される。その結果、周波数ドメイン基準点はリソースブロックユニット割り当ての論理的境界に位置する。
【０２２４】
別の例では、第３オフセットがＢＷＰの先頭リソースブロックの高周波数方向に向かう周波数ドメイン基準点に対するオフセットであるとき、ｎはｍからｙ３を減算することにより取得される差、つまり（ｍ−ｙ３）に等しく、ｙ３は、ｍを法とする第３オフセット、つまり第３オフセットｍｏｄ  ｍの値に等しい。このように、第１ビットは、ＢＷＰの先頭リソースブロックから開始する（ｍ−y３）個のリソースブロックを示し、（ｍ−y３）個のリソースブロック及び第３オフセットのy３個のＲＢフラグメントは、量の観点でｍ個のリソースブロックのリソースブロックユニットを形成できる。その結果、周波数ドメイン基準点はリソースブロックユニット割り当ての論理的境界に位置する。
【０２２５】
留意すべきことに、y３とＳ個のビットの中の第１ビットにより示されるリソースブロック位置との間の任意的な対応については、第２の任意の設計における第２の可能な実装の説明を参照する。
【０２２６】
任意で、Ｓ個のビットの中の第２ビットは、ｍ個のリソースブロックが端末装置のためであるか否かを示すために使用され、ｍ個のリソースブロックはＳ個のビットの中の第１ビットにより示されるｎ個のリソースブロックに隣接する。任意で、「隣接する」は、「高周波数方向に隣接する」である。
【０２２７】
さらに、任意で、Ｓ個のビットの中の第３ビットにより示されるｍ個のリソースブロックは、第２ビットにより示されるｍ個のリソースブロックに隣接する。任意で、「隣接する」は、「高周波数方向に隣接する」である。
【０２２８】
この可能な実装では、Ｓは以下のうちのいずれか１つであってよい。
【０２２９】
値１：
【数１９】
2021502758.tif 000025
【０２３０】
値２：
【数２０】
2021502758.tif 000026
【０２３１】
値３：
【数２１】
2021502758.tif 000027
【０２３２】
値４：
【数２２】
2021502758.tif 000028
【０２３３】
この可能な実装では、周波数ドメイン基準点は、リソースブロックユニット構成の境界として使用されてよい。このような構成方法では、ネットワーク装置は、リソースブロックユニットの境界を揃える方法で、複数の端末装置のためのリソースを構成でき、具体的に言うと、ｍ個のＲＢをユニットとして使用することにより実行されるリソース構成のために、境界として周波数ドメイン基準点を使用して、ｍ個のリソースブロックをリソースブロックユニットとして使用することにより各端末装置のために構成されたリソースブロックが周波数ドメイン基準点に対して境界で揃えられることを保証し、言い換えると、割り当てることのできないリソースブロックフラグメント（ｍより少ないＲＢのフラグメント）を可能な限り回避するために、端末装置のために構成された各リソースブロックユニットの境界と周波数ドメイン基準点との間のオフセットＲＢの数がｍの倍数であることを保証し、それにより、リソース利用効率を向上する。境界は、リソースブロックユニットの低周波数境界リソースブロック及び高周波数境界リソースブロックのうちの少なくとも１つであってよい。
【０２３４】
実施形態２
本発明の実施形態２は、制御リソースセット決定方法を提供する。その結果、複数の制御リソースセットが時間周波数リソース上で重なり合うとき、制御リソースセットの各々により含まれる制御チャネルのリソースブロッキング確率が最小化される。
【０２３５】
ステップ０。ネットワーク装置は、複数の制御リソースセットを決定し、各制御リソースセットは制御チャネル要素の１つのマッピング方法に対応する。
【０２３６】
端末装置は、複数の制御リソースセットを決定し、各制御リソースセットは制御チャネル要素の１つのマッピング方法に対応する。
【０２３７】
ステップ０における対応する動作は、図３に示す端末装置のプロセッサ３０４、又は図２に示すネットワーク装置のプロセッサ２０１により実行されてよい。
【０２３８】
ステップ１。端末装置は、制御チャネルリソースセットの中で、制御情報を運ぶ制御チャネルを検出する。
【０２３９】
ステップ１における動作は、図３に示す端末装置のプロセッサ３０４により実行されてよい。
【０２４０】
制御チャネルは、複数の制御チャネル要素（Control  Channel  Element,  CCE）を含む。制御チャネル要素は、複数のＲＥＧバンドル（REG  bundle）を含む。
【０２４１】
一実装では、制御チャネル要素ｊにより含まれるＲＥＧバンドルセットは次式である：
【数２３】
2021502758.tif 000029
ここで、端末装置は、ネットワーク装置から上位レイヤシグナリングを受信し、上位レイヤシグナリングに基づきＡを決定し、値セットは｛２，３，６｝であり、
ＬはＲＥＧバンドルに含まれるＲＥＧの数であり、任意で、上位レイヤシグナリングに基づき決定されてよく、
ＮＲＢＣＯＲＥＳＥＴは、周波数ドメインにおいて制御リソースセットにより含まれるリソースブロックの数であり、
ＮｓｙｍｂＣＯＲＥＳＥＴ∈｛１，２，３｝は、時間ドメインにおいて制御リソースセットにより含まれるシンボルの数であり、
ｎｓｈｉｆｔは、上位レイヤシグナリングを用いて構成されてよく、又はｎｓｈｉｆｔ＝６・ｎＩＤ・ＮｓｙｍｂＣＯＲＥＳＥＴ／Ｌであり、ｎＩＤは上位レイヤシグナリングに基づき決定される。
【０２４２】
この方法では、ＣＣＥが制御リソースセットの中の複数の離散ＲＥＧにマッピングでき、周波数ダイバーシティ利益を得ることを保証できる。さらに、ｎＩＤの構成された値が何であれ、制御リソースセットにマッピングされたＣＣＥが、６個の連続するＲＢの粒度の周波数ドメインにおけるオフセットであることが保証できる。このように、複数の制御リソースセットが時間周波数リソース上で重なり合うとき、制御リソースセットの各々により含まれる制御チャネルのリソースブロッキング確率が最小化される。
【０２４３】
任意で、方法は、ステップ２を更に含む。端末装置はオフセットを取得し、オフセットは、制御チャネル要素のマッピングのために使用され、オフセットは、上位レイヤシグナリングに基づき決定され、又は上位レイヤシグナリングを用いて構成された識別子に基づき決定されてよい。
【０２４４】
一実装では、オフセットが上位レイヤシグナリングに基づき決定され得ることは以下を含む：オフセットｎｓｈｉｆｔは、式ｎｓｈｉｆｔ＝６・ｎＩＤ・ＮｓｙｍｂＣＯＲＥＳＥＴ／Ｌに基づき決定されてよい。ここで、ｎＩＤは上位レイヤシグナリングを用いて構成された識別子であり、ＮｓｙｍｂＣＯＲＥＳＥＴ∈｛１，２，３｝は、時間ドメインにおいて制御リソースセットにより含まれるシンボルの数であり、ＬはＲＥＧバンドルにより含まれるＲＥＧ（Resource  element  group）の数である。
【０２４５】
方法の有利な効果は以下の通りである：ｎＩＤの構成された値が何であれ、制御リソースセットにマッピングされたＣＣＥが、６個の連続するＲＢの粒度の周波数ドメインにおけるオフセットであることが保証できる。このように、複数の制御リソースセットが時間周波数リソース上で重なり合うとき、制御リソースセットの各々により含まれる制御チャネルのリソースブロッキング確率が最小化される。
【０２４６】
前述のステップにおける端末装置の取得ステップ及び上位レイヤシグナリング受信ステップは、図３の端末装置内の受信機３０１Ａにより実行されてよい。ネットワーク装置の送信ステップは、図２の送信機２０２Ｂにより実行されてよい。
【０２４７】
以上は、主に、本発明の実施形態で提供されるソリューションを、ネットワーク要素間の相互作用の観点から説明した。前述の機能を実装するために、ネットワーク装置及び端末装置のようなネットワーク要素は、機能を実行する対応するハードウェア構造及び／又はソフトウェアモジュールを含むことが理解できる。当業者は、本明細書に開示された実施形態で説明された例と組み合わせて、ユニット、アルゴリズムステップがハードウェア又はハードウェアとコンピュータソフトウェアとの組み合わせにより得実装され得ることを容易に認識すべきである。機能がハードウェア又はコンピュータソフトウェアにより駆動されるハードウェアにより実行されるかは、技術的ソリューションの特定の適用及び設計制約に依存する。当業者は、特定の適用毎に、記載の機能を実施するために異なる方法を使用してよいが、実装が本発明の範囲を超えると考えられるべきではない。
【０２４８】
以下は、図３の端末装置の可能な構造に基づき更なる説明を提供する。端末装置は、本発明の実施形態における任意の方法を実行できる。端末装置は、少なくともトランシーバ３０１及びプロセッサ３０４を含んでよい（プロセッサの上位表現がここで使用され、プロセッサ３０４は、モデムプロセッサ３０４又はモデムプロセッサ３０４とアプリケーションプロセッサ３０２との統合を表してよい）。任意で、端末装置は、図３の他のコンポーネント及び図３に関する記載、例えばメモリを更に含んでよい。ここで、トランシーバ３０１は、対応する受信及び送信機能を別個に実行するために、独立した受信機及び独立した送信機により構成されてよく、又は受信及び送信機能を統合したトランシーバであってよい。ここで更なる限定は課されない。図３のトランシーバ３０１は、受信機３０１Ａ及び送信機３０１Ｂに構造的に分離されてよい。端末装置は、ここで一例として説明のために任意的な主体としてのみ使用される。以下は、主体として無線機器を用いて説明を提供する。無線機器は、端末装置により含まれるユニット、チップ、又は部分であってよく、又は端末装置自体であってよい。
【０２４９】
本発明の実施形態１について。
【０２５０】
無線機器は、プロセッサ３０４及び受信機３０１Ａを含む。
【０２５１】
受信機３０１Ａは、リソース指示情報を取得するよう構成される。リソース指示情報は、端末装置のための複数のリソースブロックを示すために使用される。
【０２５２】
プロセッサ３０４は、複数のリソースブロックのインデックス情報を決定するよう構成される。
【０２５３】
任意で、リソース指示情報はＳ個のビットを含み、Ｓ個のビットの各々は、少なくとも１つのリソースブロックが端末装置のためであるか否かを示すために使用される。
【０２５４】
任意で、Ｓ個のビットの中の第１ビットは、共通インデックス領域の先頭リソースブロックから開始するｎ個の連続するリソースブロックが端末装置のためであるか否かを示すために使用され、ｎはｍに等しく、又はｎは第１オフセット及びｍに基づき決定される値に等しく、ｍはネットワーク装置により通知され又は予め構成され、第１オフセットは、共通インデックス領域の先頭リソースブロックと周波数ドメイン基準点との間のオフセットであり、周波数ドメイン基準点はネットワーク装置により通知され又は予め構成される。
【０２５５】
さらに、任意で、ｎが第１オフセット及びｍに基づき決定された値に等しいとき、ｎはｙ１に等しく、又はｎはｍ−ｙ１に等しく、ここで、ｙ１は第１オフセットｍｏｄ  ｍの値に等しい。
【０２５６】
任意で、受信機３０１Ａは、ネットワーク装置から第１オフセットを取得するよう更に構成される。
【０２５７】
任意で、Ｓ個のビットの中の第１ビットは、帯域幅部分ＢＷＰの先頭リソースブロックから開始するｎ個の連続するリソースブロックが端末装置のためであるか否かを示すために使用され、又は帯域幅部分ＢＷＰの先頭リソースブロックから開始するｎ個の連続するリソースブロックに隣接するｍ個のリソースブロックが端末装置のためであるか否かを示すために使用され、
ｎはｍ及び第２オフセットに基づき決定された値に等しく、又はｎは、ｍ、第１オフセット、及び第２オフセットに基づき決定された値に等しく、ｍはネットワーク装置により通知され又は予め構成され、第１オフセットは、共通インデックス領域の先頭リソースブロックと周波数ドメイン基準点との間のオフセットであり、周波数ドメイン基準点は、ネットワーク装置により通知され又は予め構成され、第２オフセットは、共通インデックス領域の先頭リソースブロックとキャリア帯域幅部分ＢＷＰの先頭リソースブロックとの間のオフセットである。
【０２５８】
さらに、任意で、ｎがｍ及び第２オフセットに基づき決定された値に等しいとき、ｎはｍ−ｙ２に等しく、ｙ２は第２オフセットｍｏｄ  ｍの値に等しく、又はｎが、ｍ、第１オフセット、及び第２オフセットに基づき決定された値に等しいとき、ｎはｙ３に等しく、又はｎはｍとｙ３との間の差に等しく、ｙ３は、第３オフセットｍｏｄ  ｍの値に等しく、第３オフセットは、第１オフセット及び第２オフセットに関連する。
【０２５９】
任意で、受信機３０１Ａは、ネットワーク装置から第１オフセット及び／又は第２オフセットを取得するよう更に構成される。
【０２６０】
任意で、受信機３０１Ａ又はプロセッサ３０４はオフセット指示情報を取得し、オフセット指示情報は、リソース指示基準リソースブロックから共通インデックス領域の先頭リソースブロック又はキャリア帯域幅部分ＢＷＰの先頭リソースブロックまでのＲＢオフセットの数を示すために使用される。
【０２６１】
さらに、任意で、リソース指示基準リソースブロックは、リソース指示情報の中の第１ビットにより示される少なくとも１つのリソースブロックの中の第１ＲＢ又は最後のＲＢであってよい。
【０２６２】
さらに、任意で、プロセッサ３０４は、オフセット指示情報及びリソース指示情報に基づき、複数のリソースブロックのインデックス情報を決定する。
【０２６３】
任意で、Ｓ個のビットの中の第２ビットは、ｍ個のリソースブロックが端末装置のためであるか否かを示すために使用され、ｍ個のリソースブロックは、周波数ドメインにおいて、Ｓ個のビットの中の第１ビットにより示されるｎ個のリソースブロックに隣接する。
【０２６４】
任意で、ｍは１，２，４，８，３，６，又は１２に等しい。
【０２６５】
留意すべきことに、無線機器により実行される通信方法の特定の実装については、本発明の実施形態で提供された通信方法の説明を参照する。本発明の本実施形態の端末装置及び図６に対応する通信方法は、同じ思想に基づき、端末装置によりもたらされる技術的効果は、通信方法のものと同じである。本発明の本実施形態の無線機器に含まれるプロセッサ及び受信機の特定の機能、並びに特定の機能に関連する任意の特徴、用語、及び実装の詳細は、図６に対応する方法の実施形態における端末装置の機能に対応する。特定の内容については、本発明の図６に対応する方法の実施形態の説明を参照する。詳細はここで再び記載されない。
【０２６６】
本発明の実施形態２について。
【０２６７】
無線機器は、本発明の実施形態２で提供される任意の方法を実行するために、プロセッサ３０４及び受信機３０１Ａを含む。
【０２６８】
留意すべことに、前述の実施形態の全部又は一部は、ソフトウェア、ハードウェア、ファームウェア、又はそれらの任意の組み合わせを用いて無線機器により実装されてよい。
【０２６９】
無線機器の構造の別の任意的方法では、前述の実施形態における対応する部分は、対応するハードウェアにより実装されてよく、又は対応するソフトウェアを実行することにより対応するハードウェアにより実装されてよい。例えば、受信機３０１Ａは、送信及び受信機能を統合するトランシーバ又は受信機能のみを実装する受信機のような受信機能を実行する機能を有するハードウェアであってよく、又は前述の機能を達成するために対応するコンピュータプログラムを実行できる汎用プロセッサ又は別のハードウェア装置であってよく、受信ユニットのような対応する機能を実行するソフトウェアモジュール又は機能ユニットであってよい。別の例では、プロセッサ３０４は、特定機能を備えるプロセッサ又は汎用プロセッサのようなプロセッサ機能を実行可能なハードウェアであってよく、又は前述の機能を達成するために対応するコンピュータプログラムを実行できる別のハードウェア装置であってよく、又は処理ユニットのような対応する機能を実行するソフトウェアモジュール又は機能ユニットであってよい。別の例では、送信機３０１Ｂは、送信及び受信機能を統合するトランシーバ又は送信機能のみを実装する送信機のような送信機能を実行する機能を有するハードウェアであってよく、又は前述の機能を達成するために対応するコンピュータプログラムを実行できる汎用プロセッサ又は別のハードウェア装置であってよく、又は送信ユニットのような対応する機能を実行するソフトウェアモジュール又は機能ユニットであってよい。任意で、無線機器は、記憶ユニットを更に含む。詳細については、図９を参照する。
【０２７０】
以下は、図２のネットワーク装置の可能な構造に基づき更なる説明を提供する。ネットワーク装置は、本発明の実施形態における任意の方法を実行できる。ネットワーク装置は、少なくとも制御部又はプロセッサ２０１（以下はプロセッサ２０１を説明のための一例として使用する）と、トランシーバ２０２と、を含んでよい。任意で、ネットワーク装置は、図２の他のコンポーネント及び図２に関する記載、例えばメモリを更に含んでよい。ここで、トランシーバ２０２は、対応する受信及び送信機能を別個に実行するために、独立した受信機及び独立した送信機により構成されてよく、又は受信及び送信機能を統合したトランシーバであってよい。ここで更なる限定は課されない。図２のトランシーバ２０２は、受信機２０２Ａ及び送信機２０２Ｂに構造的に分離されてよい。ネットワーク装置は、ここで一例として説明のために任意的な主体としてのみ使用される。以下は、主体として無線機器を用いて説明を提供する。無線機器は、ネットワーク装置により含まれるユニット、チップ、又は部分であってよく、又はネットワーク装置自体であってよい。
【０２７１】
無線機器は、プロセッサ２０１及び送信機２０２Ｂを含む。
【０２７２】
プロセッサは、複数のリソースブロックを決定するよう構成される。複数のリソースブロックユニットは端末装置のためである。
【０２７３】
送信機は、リソース指示情報を端末装置へ送信するよう構成される。リソース指示情報は、複数のリソースブロックを示すために使用される。
【０２７４】
任意で、リソース指示情報はＳ個のビットを含み、Ｓ個のビットの各々は、少なくとも１つのリソースブロックが端末装置のためであるか否かを示すために使用される。
【０２７５】
任意で、Ｓ個のビットの中の第１ビットは、共通インデックス領域の先頭リソースブロックから開始するｎ個の連続するリソースブロックが端末装置のためであるか否かを示すために使用され、ｎはｍに等しく、又はｎはｙ１に等しく、又はｎはｍ−ｙ１に等しく、ｙ１は第１オフセットｍｏｄ  ｍの値に等しく、ｍはネットワーク装置により決定され又は予め構成され、第１オフセットは、共通インデックス領域の先頭リソースブロックと周波数ドメイン基準点との間のオフセットであり、周波数ドメイン基準点はネットワーク装置により決定され又は予め構成される。
【０２７６】
任意で、送信機２０２Ｂは、第１オフセットを端末装置へ送信するよう更に構成される。
【０２７７】
任意で、Ｓ個のビットの中の第１ビットは、帯域幅部分ＢＷＰの先頭リソースブロックから開始するｎ個の連続するリソースブロックが端末装置のためであるか否かを示すために使用され、又は帯域幅部分ＢＷＰの先頭リソースブロックから開始するｎ個の連続するリソースブロックに隣接するｍ個のリソースブロックが端末装置のためであるか否かを示すために使用され、
ｎはｍ−ｙ２に等しく、ｙ２の値は第２オフセットｍｏｄ  ｍの値に等しく、又はｎはｙ３に等しく又はｍとｙ３との間の差に等しく、ｙ３は第３オフセットｍｏｄ  ｍの値に等しく、第３オフセットは、第１オフセット及び第２オフセットに関連し、ｍはネットワーク装置により決定され又は予め構成され、第１オフセットは、共通インデックス領域の先頭リソースブロックと周波数ドメイン基準点との間のオフセットであり、周波数ドメイン基準点は、ネットワーク装置により決定され又は予め構成され、第２オフセットは、共通インデックス領域の先頭リソースブロックと帯域幅部分ＢＷＰの先頭リソースブロックとの間のオフセットである。
【０２７８】
任意で、送信機２０２Ｂは、第２オフセットを端末装置へ送信するよう更に構成される。
【０２７９】
任意で、送信機２０２Ｂはオフセット指示情報を端末装置へ送信し、オフセット指示情報は、リソース指示基準リソースブロックから共通インデックス領域の先頭リソースブロック又はキャリア帯域幅部分ＢＷＰの先頭リソースブロックまでのＲＢオフセットの数を示すために使用される。
【０２８０】
さらに、任意で、リソース指示基準リソースブロックは、リソース指示情報の中の第１ビットにより示される少なくとも１つのリソースブロックの中の第１ＲＢ又は最後のＲＢであってよい。
【０２８１】
任意で、Ｓ個のビットの中の第２ビットは、ｍ個のリソースブロックが端末装置のためであるか否かを示すために使用され、ｍ個のリソースブロックは、周波数ドメインにおいて、Ｓ個のビットの中の第１ビットにより示されるｎ個のリソースブロックに隣接する。
【０２８２】
任意で、ｍは１，２，４，８，３，６，又は１２に等しい。
【０２８３】
留意すべきことに、無線機器により実行される通信方法の特定の実装については、本発明の実施形態で提供された通信方法の説明を参照する。本発明の本実施形態のネットワーク装置及び図６に対応する通信方法は、同じ思想に基づき、ネットワーク装置によりもたらされる技術的効果は、制御リソース取得方法のものと同じである。本発明の本実施形態の無線機器に含まれるプロセッサ及び受信機の特定の機能、並びに特定の機能に関連する任意の特徴、用語、及び実装の詳細は、図６に対応する方法の実施形態におけるネットワーク装置の機能に対応する。特定の内容については、本発明の図６に対応する方法の実施形態の説明を参照する。詳細はここで再び記載されない。
【０２８４】
留意すべことに、前述の実施形態の全部又は一部は、ソフトウェア、ハードウェア、ファームウェア、又はそれらの任意の組み合わせを用いて無線機器により実装されてよい。
【０２８５】
無線機器の構造の別の任意的方法では、前述の実施形態における対応する部分は、対応するハードウェアにより実装されてよく、又は対応するソフトウェアを実行することにより対応するハードウェアにより実装されてよい。例えば、送信機２０２Ｂは、送信及び受信機能を統合するトランシーバ又は送信機能のみを実装する送信機のような送信機能を実行する機能を有するハードウェアであってよく、又は前述の機能を達成するために対応するコンピュータプログラムを実行できる汎用プロセッサ又は別のハードウェア装置であってよく、又は送信ユニットのような対応する機能を実行するソフトウェアモジュール又は機能ユニットであってよい。別の例では、プロセッサ２０１は、特定機能を備えるプロセッサ又は汎用プロセッサのようなプロセッサ機能を実行可能なハードウェアであってよく、又は前述の機能を達成するために対応するコンピュータプログラムを実行できる別のハードウェア装置であってよく、又は処理ユニットのような対応する機能を実行するソフトウェアモジュール又は機能ユニットであってよい。別の例では、受信機２０２Ａは、送信及び受信機能を統合するトランシーバ又は受信機能のみを実装する受信機のような受信機能を実行する機能を有するハードウェアであってよく、又は前述の機能を達成するために対応するコンピュータプログラムを実行できる汎用プロセッサ又は別のハードウェア装置であってよく、受信ユニットのような対応する機能を実行するソフトウェアモジュール又は機能ユニットであってよい。任意で、無線機器は、記憶ユニットを更に含む。詳細については、図９を参照する。
【０２８６】
添付の図面は無線機器の簡易設計を単に示すことが理解できる。実際の適用では、無線機器は、任意の数の送信機、受信機、プロセッサ、制御部、メモリ、通信ユニット、等を含んでよい。
【０２８７】
本発明の一実施形態は、本発明の実施形態を実行する、説明された少なくとも１つのネットワーク装置と少なくとも１つの端末装置とを含む通信システムを更に提供する。
【０２８８】
本発明の一実施形態は、前述の通信方法を実施するよう構成された機器（例えば、集積回路、無線装置、及び回路モジュール）を更に提供する。本明細書で説明した電力追尾器及び／又は電力生成器を実装する機器は、独立型装置であってよく、又はより大きな装置の一部であってよい。装置は、（ｉ）独立型ＩＣ、(ｉｉ）データ及び／又は命令を格納するメモリＩＣを含む１つ以上のＩＣのセット、（ｉｉｉ）ＲＦ受信機又はＲＦ送信機／受信機のようなＲＦＩＣ、（ｉｖ）移動局モデムのようなＡＳＩＣ、（ｖ）他の装置に内蔵可能なモジュール、（ｖｉ）受信機、セルラ電話機、無線装置、ハンドヘルド電話機、又はモバイルユニット、（ｖｉｉ）その他、であってよい。
【０２８９】
本発明の実施形態で提供される方法及び機器は、端末装置又はネットワーク装置（これらは集合的に無線装置と呼ばれてよい）に適用されてよい。端末装置又はネットワーク装置又は無線装置は、ハードウェアレイヤ、ハードウェアレイヤ上で動作するオペレーティングシステムレイヤ、及びオペレーティングシステムレイヤ上で動作するアプリケーションレイヤを含んでよい。ハードウェアレイヤは、中央処理ユニット（central  processing  unit,  CPU）、メモリ管理ユニット（memory  management  unit,  MMU）、及びメモリ（メインメモリとも呼ばれる）のようなハードウェアを含む。オペレーティングシステムは、Ｌｉｎｕｘオペレーティングシステム、Ｕｎｉｘオペレーティングシステム、Ａｎｄｒｏｉｄオペレーティングシステム、ｉＯＳオペレーティングシステム、又はＷｉｎｄｏｗｓオペレーティングシステムのような、プロセス（process）の中でサービス処理を実施する任意の１つ以上のコンピュータオペレーティングシステムであってよい。アプリケーションレイヤは、ブラウザ、アドレス帳、テキスト処理ソフトウェア、及びインスタントメッセージングソフトウェアのようなアプリケーションを含む。さらに、方法の実行主体が、本発明の実施形態における方法のコードを記録するプログラムを実行することにより、本発明の実施形態における信号送信方法に基づく通信を実行できるならば、方法の実行主体の特定の構造は、本発明の実施形態において限定されない。例えば、本発明の実施形態における無線通信方法は、端末装置、又はネットワーク装置、又は端末装置又はネットワーク装置内にありプログラムを呼び出し実行できる機能モジュールにより、実行されてよい。
【０２９０】
当業者は、本明細書に開示された実施形態で記載された例と組み合わせて、ユニット及びアルゴリズムステップが電子ハードウェア又はコンピュータソフトウェアと電子ハードウェアとの組み合わせにより実装されてよいことを認識し得る。機能がハードウェア又はソフトウェアにより実行されるかは、技術的ソリューションの特定の適用及び設計制約条件に依存する。当業者は、特定の適用毎に、記載の機能を実施するために異なる方法を使用してよいが、実装が本発明の実施形態の範囲を超えると考えられるべきではない。
【０２９１】
さらに、本発明の実施形態における態様又は特徴は、方法、機器、又は標準的なプログラミング及び／又はエンジニアリング技術を使用するプロダクトとして実装されてよい。本願において使用される用語「プロダクト」は、任意のコンピュータ可読コンポーネント、キャリア、又は媒体からアクセス可能なコンピュータプログラムを包含する。例えば、コンピュータ可読媒体は、限定ではないが、磁気記憶コンポーネント（例えば、ハードディスク、フロッピーディスク、又は磁気テープ）、光ディスク（例えば、コンパクトディスク（compact  disc,  CD）、デジタルバーサタイルディスク（digital  versatile  disc,  DVD）、スマートカード、及びフラッシュメモリコンポーネント（例えば、消去可能プログラマブル読み出し専用メモリ（erasable  programmable  read−only  memory,  EPROM）、カード、スティック、又はキードライブ）を含んでよい。さらに、本明細書に記載の種々の記憶媒体は、情報を格納するために使用される１つ以上の装置及び／又は他の機械可読媒体を示してよい。用語「機械可読媒体」は、限定ではないが、無線チャネル、命令及び／又はデータを格納し、含み、及び／又は運ぶことのできる種々の他の媒体を含んでよい。
【０２９２】
前述の実施形態の全部又は一部は、ソフトウェア、ハードウェア、ファームウェア、又はそれらの任意の組み合わせを用いて実装されてよい。実施形態を実装するためにソフトウェアが使用されるとき、実施形態は、コンピュータプログラムプロダクトの形式で完全に又は部分的に実装されてよい。コンピュータプログラムプロダクトは、１つ以上のコンピュータ命令を含む。コンピュータプログラム命令は、コンピュータ上にロードされ実行されると、本発明の実施形態の手順又は機能が全部又は部分的に生成される。コンピュータは、汎用コンピュータ、専用コンピュータ、コンピュータネットワーク、又は他のプログラマブル機器であってよい。コンピュータ命令は、コンピュータ可読記憶媒体に格納されてよく、又はコンピュータ可読記憶媒体から別のコンピュータ可読記憶媒体へ送信されてよい。例えば、コンピュータ命令は、ウェブサイト、コンピュータ、サーバ、又はデータセンタから、別のウェブサイト、コンピュータ、サーバ、又はデータセンタへ、有線（例えば、同軸ケーブル、光ファイバ、又はデジタル加入者回線（ＤＳＬ））又は無線（例えば、赤外線、無線、又はマイクロ波）方式で送信されてよい。コンピュータ可読記憶媒体は、コンピュータによりアクセス可能な任意の使用可能媒体、又は１つ以上の使用可能媒体を統合するサーバ若しくはデータセンタのようなデータ記憶装置であってよい。使用可能媒体は、磁気媒体（例えば、フロッピーディスク、ハードディスク、又は磁気テープ）、光媒体（例えば、デジタルバーサタイルディスク（ＤＶＤ）、半導体媒体（例えば、固体ドライブ（Solid  State  Disk,  SSD））等であってよい。
【０２９３】
理解されるべきことに、前述の処理の番号は、本願の種々の実施形態における実行順序を意味しない。処理の実行順序は、処理の機能及び内部ロジックに従い決定されるべきであり、本発明の実施形態の実装処理に対する限定として考えられるべきではない。
【０２９４】
便宜上及び簡潔な説明を目的として、前述のシステム、機器、及びユニットの詳細な作動プロセスについては、前述の方法の実施形態における対応するプロセスが参照されてよく、詳細はここで再び説明されないことが、当業者により明確に理解され得る。
【０２９５】
本願において提供された幾つかの実施形態では、理解されるべきことに、開示のシステム、機器、及び方法は他の方法で実装されてよい。例えば、記載の機器の実施形態は単なる例である。例えば、ユニット分割は、単なる論理的機能分割であり、実際の実装では他の分割であってよい。例えば、複数のユニット又はコンポーネントは、結合され又は別のシステムに統合されてよく、或いは、幾つかの機能は、無視され又は実行されなくてよい。さらに、示された又は議論された相互結合又は直接結合又は通信接続は、幾つかのインタフェースを用いて実装されてよい。機器又はユニット間の間接結合又は通信接続は、電子的、機械的、又は他の形式で実装されてよい。
【０２９６】
別個の部分として記載されたユニットは、物理的に分離していてよく又はそうでなくてよい。ユニットとして示された部分は、物理的ユニットであってよく又はそうでなくてよく、１つの場所に置かれてよく、又は複数のネットワークユニットに分配されてよい。ユニットのうちの一部又は全部は、実施形態のソリューションの目的を達成するために、実際の要件に基づき選択されてよい。
【０２９７】
機能がソフトウェア機能ユニットの形式で実装され、独立した製品として販売され又は使用されるとき、機能は、コンピュータ可読記憶媒体に格納されてよい。このような理解に基づき、基本的に又は部分的に従来技術に貢献する本発明の実施形態の技術的ソリューション又は技術的ソリューションの一部は、ソフトウェアプロダクトの形式で実装されてよい。ソフトウェアプロダクトは、記憶媒体に格納され、本発明の実施形態で説明された方法のステップのうちの全部又は一部を実行するようコンピュータ装置（これは、パーソナルコンピュータ、サーバ、又はネットワーク装置であってよい）に指示するための幾つかの命令を含む。前述の記憶媒体は、プログラムコードを格納できる、ＵＳＢフラッシュドライブ、取り外し可能ハードディスク、読み出し専用メモリ（ROM,  Read−Only  Memory）、ランダムアクセスメモリ（RAM,  Random  Access  Memory）、磁気ディスク、又は光ディスクのような、任意の媒体を含む。
【０２９８】
前述の説明は、単に本発明の特定の実装であり、本発明の保護範囲を限定することを意図しない。本発明で開示された技術的範囲内にある、当業者により直ちに考案される任意の変形又は置換は、本発明の保護範囲の中に包含されるべきである。したがって、本発明の保護範囲は、特許請求の範囲の保護範囲に従うべきである。
【図１】
2021502758.tif 000050
【図２】
2021502758.tif 000051
【図３】
2021502758.tif 000052
【図４】
2021502758.tif 000053
【図５】
2021502758.tif 000054
【図６】
2021502758.tif 000055
【図７】
2021502758.tif 000056
【図８】
2021502758.tif 000057
【図９】
2021502758.tif 000058
【手続補正書】
【提出日】令和2年7月6日(2020.7.6)
【手続補正１】
【補正対象書類名】特許請求の範囲
【補正対象項目名】全文
【補正方法】変更
【補正の内容】
【特許請求の範囲】
【請求項１】
通信方法であって、
リソース指示情報を取得するステップであって、前記リソース指示情報は、端末装置のための制御リソースセットの中の周波数ドメインリソースを示し、前記リソース指示情報はＳ個のビットを含み、Ｓは正整数であり、前記Ｓ個のビットの中の最上位ビット（ＭＳＢ）は、リソースブロックセットが前記制御リソースセットの中の前記周波数ドメインリソースに属するか否かを示すために使用され、
前記リソースブロックセットは帯域幅部分（ＢＷＰ）のｍ個の連続するリソースブロックを含み、前記ｍ個の連続するリソースブロックは、前記ＢＷＰの先頭リソースブロックから開始するｎ個の連続するリソースブロックに隣接し、ｎ＜ｍであり、ｎはｍ−ｙ２に等しく、ｙ２は第２オフセットｍｏｄ  ｍに等しく、ｙ２は０に等しくなく、前記第２オフセットは共通インデックス領域の先頭リソースブロックと前記ＢＷＰの前記先頭リソースブロックとの間のオフセットである、ステップと、
前記リソース指示情報に基づき、前記制御リソースセットの中の前記周波数ドメインリソースを決定するステップと、
を含む方法。
【請求項２】
前記共通インデックス領域は、１つ以上のＢＷＰを更に含む、請求項１に記載の方法。
【請求項３】
前記Ｓ個のビットの中の第２最上位ビットは、ｍ個の連続するリソースブロックが前記制御リソースセットの中の前記周波数ドメインリソースに属するか否かを示すために使用され、前記ｍ個の連続するリソースブロックは前記Ｓ個のビットの中の前記最上位ビットにより示されるｍ個のリソースブロックに隣接し、Ｓ＞１である、請求項１又は２に記載の方法。
【請求項４】
前記リソースブロックＲＢセットが前記帯域幅部分ＢＷＰの前記先頭リソースブロックから開始する前記ｍ個の連続するリソースブロックであるとき、Ｓは
【数１】
2021502758.tif 000059
又は、前記リソースブロックＲＢセットが前記帯域幅部分ＢＷＰの前記先頭リソースブロックから開始する前記ｎ個の連続するリソースブロックに隣接する前記ｍ個のリソースブロックであるとき、Ｓは
【数２】
2021502758.tif 000060
ここで、
【数３】
2021502758.tif 000061
は切り捨てを示し、Ｘ２は前記帯域幅部分ＢＷＰの中のリソースブロックの数である、請求項１乃至３のいずれか一項に記載の方法。
【請求項５】
前記リソース指示情報はビットマップである、請求項１乃至４のいずれか一項に記載の方法。
【請求項６】
ｍは６に等しい、請求項１乃至５のいずれか一項に記載の方法。
【請求項７】
前記制御リソースセットの中の前記周波数ドメインリソースは、複数のリソースブロックであり、
前記リソース指示情報に基づき、前記制御リソースセットの中の前記周波数ドメインリソースを決定する前記ステップは、
前記リソース指示情報に基づき、前記複数のリソースブロックのインデックス情報を決定するステップを含む、請求項１乃至６のいずれか一項に記載の方法。
【請求項８】
前記Ｓ個のビットの各々は、前記ＢＷＰの中のリソースブロックセットが前記制御リソースセットの中の前記周波数ドメインリソースに属するか否かを示すために使用される、請求項１乃至７のいずれか一項に記載の方法。
【請求項９】
無線機器であって、取得ユニットと決定ユニットとを含み、
前記取得ユニットは、リソース指示情報を取得するよう構成され、前記リソース指示情報は、端末装置のための制御リソースセットの中の周波数ドメインリソースを示す、ステップと、
前記決定ユニットは、前記リソース指示情報に基づき、前記制御リソースセットの中の前記周波数ドメインリソースを決定するよう構成され、
前記リソース指示情報はＳ個のビットを含み、Ｓは正整数であり、前記Ｓ個のビットの中の最上位ビット（ＭＳＢ）は、リソースブロックセットが前記制御リソースセットの中の前記周波数ドメインリソースに属するか否かを示すために使用され、
前記リソースブロックセットは帯域幅部分（ＢＷＰ）のｍ個の連続するリソースブロックを含み、前記ｍ個の連続するリソースブロックは、前記ＢＷＰの先頭リソースブロックから開始するｎ個の連続するリソースブロックに隣接し、ｎ＜ｍであり、ｎはｍ−ｙ２に等しく、ｙ２は第２オフセットｍｏｄ  ｍに等しく、ｙ２は０に等しくなく、前記第２オフセットは共通インデックス領域の先頭リソースブロックと前記ＢＷＰの前記先頭リソースブロックとの間のオフセットである、機器。
【請求項１０】
前記共通インデックス領域は、１つ以上のＢＷＰを更に含む、請求項９に記載の機器。
【請求項１１】
前記Ｓ個のビットの中の第２最上位ビットは、ｍ個の連続するリソースブロックが前記制御リソースセットの中の前記周波数ドメインリソースであるか否かを示すために使用され、前記ｍ個の連続するリソースブロックは前記Ｓ個のビットの中の前記最上位ビットにより示されるｍ個のリソースブロックに隣接し、Ｓ＞１である、請求項９又は１０に記載の機器。
【請求項１２】
前記リソースブロックＲＢセットが前記帯域幅部分ＢＷＰの前記先頭リソースブロックから開始する前記ｍ個の連続するリソースブロックであるとき、Ｓは
【数４】
2021502758.tif 000062
又は、前記リソースブロックＲＢセットが前記帯域幅部分ＢＷＰの前記先頭リソースブロックから開始する前記ｎ個の連続するリソースブロックに隣接する前記ｍ個のリソースブロックであるとき、Ｓは
【数５】
2021502758.tif 000063
ここで、
【数６】
2021502758.tif 000064
は切り捨てを示し、Ｘ２は前記帯域幅部分ＢＷＰの中のリソースブロックの数である、請求項９乃至１１のいずれか一項に記載の機器。
【請求項１３】
前記リソース指示情報はビットマップである、請求項９乃至１２のいずれか一項に記載の機器。
【請求項１４】
ｍは６に等しい、請求項９乃至１３のいずれか一項に記載の機器。
【請求項１５】
前記制御リソースセットの中の前記周波数ドメインリソースは、複数のリソースブロックであり、
前記決定ユニットは、前記リソース指示情報に基づき、前記複数のリソースブロックのインデックス情報を決定するよう更に構成される、請求項９乃至１４のいずれか一項に記載の機器。
【請求項１６】
前記Ｓ個のビットの各々は、前記ＢＷＰの中のリソースブロックセットが前記制御リソースセットの中の前記周波数ドメインリソースであるか否かを示すために使用される、請求項９乃至１５のいずれか一項に記載の機器。
【請求項１７】
通信方法であって、
ネットワーク装置により、制御リソースセットの中の周波数ドメインリソースを決定するステップと、
前記ネットワーク装置により、リソース指示情報を端末装置へ送信するステップであって、前記リソース指示情報は前記制御リソースセットの中の前記周波数ドメインリソースを示すために使用され、前記リソース指示情報はＳ個のビットを含み、Ｓは正整数であり、前記Ｓ個のビットの中の最上位ビット（ＭＳＢ）は、リソースブロックセットが前記制御リソースセットの中の前記周波数ドメインリソースに属するか否かを示すために使用され、
前記リソースブロックセットは帯域幅部分（ＢＷＰ）のｍ個の連続するリソースブロックを有し、前記ｍ個の連続するリソースブロックは、前記ＢＷＰの先頭リソースブロックから開始するｎ個の連続するリソースブロックに隣接し、ｎ＜ｍであり、ｎはｍ−ｙ２に等しく、ｙ２は第２オフセットｍｏｄ  ｍに等しく、ｙ２は０に等しくなく、前記第２オフセットは、共通インデックス領域の先頭リソースブロックと前記ＢＷＰの前記先頭リソースブロックとの間のオフセットである、方法。
【請求項１８】
前記共通インデックス領域は、１つ以上のＢＷＰを更に含む、請求項１７に記載の方法。
【請求項１９】
前記Ｓ個のビットの中の第２最上位ビットは、ｍ個の連続するリソースブロックが前記制御リソースセットの中の前記周波数ドメインリソースであるか否かを示すために使用され、前記ｍ個の連続するリソースブロックは前記Ｓ個のビットの中の前記最上位ビットにより示されるｍ個のリソースブロックに隣接し、Ｓ＞１である、請求項１７又は１８に記載の方法。
【請求項２０】
前記リソースブロックＲＢセットが前記帯域幅部分ＢＷＰの前記先頭リソースブロックから開始する前記ｍ個の連続するリソースブロックであるとき、Ｓは
【数７】
2021502758.tif 000065
又は、前記リソースブロックＲＢセットが前記帯域幅部分ＢＷＰの前記先頭リソースブロックから開始する前記ｎ個の連続するリソースブロックに隣接する前記ｍ個のリソースブロックであるとき、Ｓは
【数８】
2021502758.tif 000066
ここで、
【数９】
2021502758.tif 000067
は切り捨てを示し、Ｘ２は前記帯域幅部分ＢＷＰの中のリソースブロックの数である、請求項１７乃至１９のいずれか一項に記載の方法。
【請求項２１】
前記リソース指示情報はビットマップである、請求項１７乃至２０のいずれか一項に記載の方法。
【請求項２２】
ｍは６に等しい、請求項１７乃至２１のいずれか一項に記載の方法。
【請求項２３】
前記Ｓ個のビットの各々は、前記帯域幅部分ＢＷＰの中のリソースブロックセットが前記制御リソースセットの中の前記周波数ドメインリソースであるか否かを示すために使用される、請求項１７乃至２２のいずれか一項に記載の方法。
【請求項２４】
無線機器であって、決定ユニットと送信ユニットとを含み、
前記決定ユニットは、制御リソースセットの中の周波数ドメインリソースを決定するよう構成され、
前記送信ユニットは、リソース指示情報を端末装置へ送信するよう構成され、前記リソース指示情報は、前記制御リソースセットの中の前記周波数ドメインリソースを示すために使用され、
前記リソース指示情報はＳ個のビットを含み、Ｓは正整数であり、前記Ｓ個のビットの中の最上位ビット（ＭＳＢ）は、リソースブロックセットが前記制御リソースセットの中の前記周波数ドメインリソースに属するか否かを示すために使用され、
前記リソースブロックセットは帯域幅部分（ＢＷＰ）のｍ個の連続するリソースブロックを含み、前記リソースブロックは、前記ＢＷＰの先頭リソースブロックから開始するｎ個の連続するリソースブロックに隣接し、ｎ＜ｍであり、ｎはｍ−ｙ２に等しく、ｙ２は第２オフセットｍｏｄ  ｍに等しく、ｙ２は０に等しくなく、前記第２オフセットは、共通インデックス領域の先頭リソースブロックと前記ＢＷＰの前記先頭リソースブロックとの間のオフセットである、機器。
【請求項２５】
前記共通インデックス領域は、１つ以上のＢＷＰを更に含む、請求項２４に記載の機器。
【請求項２６】
前記Ｓ個のビットの中の第２最上位ビットは、ｍ個の連続するリソースブロックが前記制御リソースセットの中の前記周波数ドメインリソースであるか否かを示すために使用され、前記ｍ個の連続するリソースブロックは前記Ｓ個のビットの中の前記最上位ビットにより示されるｍ個のリソースブロックに隣接し、Ｓ＞１である、請求項２４又は２５に記載の機器。
【請求項２７】
前記リソースブロックＲＢセットが前記帯域幅部分ＢＷＰの前記先頭リソースブロックから開始する前記ｍ個の連続するリソースブロックであるとき、Ｓは
【数１０】
2021502758.tif 000068
又は、前記リソースブロックＲＢセットが前記帯域幅部分ＢＷＰの前記先頭リソースブロックから開始する前記ｎ個の連続するリソースブロックに隣接する前記ｍ個のリソースブロックであるとき、Ｓは
【数１１】
2021502758.tif 000069
ここで、
【数１２】
2021502758.tif 000070
は切り捨てを示し、Ｘ２は前記帯域幅部分ＢＷＰの中のリソースブロックの数である、請求項２４乃至２６のいずれか一項に記載の機器。
【請求項２８】
前記リソース指示情報はビットマップである、請求項２４乃至２７のいずれか一項に記載の機器。
【請求項２９】
ｍは６に等しい、請求項２４乃至２８のいずれか一項に記載の機器。
【請求項３０】
前記Ｓ個のビットの各々は、前記帯域幅部分ＢＷＰの中のリソースブロックセットが前記制御リソースセットの中の前記周波数ドメインリソースであるか否かを示すために使用される、請求項２４乃至２９のいずれか一項に記載の機器。
【請求項３１】
機器であって、前記機器は１つ以上のプロセッサとメモリとを含み、前記メモリはコンピュータプログラムを格納し、前記コンピュータプログラムが前記１つ以上のプロセッサにより実行されると、前記機器は、請求項１乃至８のいずれか一項に記載の方法を実行可能にされる、機器。
【請求項３２】
機器であって、前記機器は１つ以上のプロセッサとメモリとを含み、前記メモリはコンピュータプログラムを格納し、前記コンピュータプログラムが前記１つ以上のプロセッサにより実行されると、前記機器は、請求項１７乃至２３のいずれか一項に記載の方法を実行可能にされる、機器。
【請求項３３】
記憶媒体であって、前記記憶媒体はコンピュータプログラムを格納し、１つ以上のプロセッサにより実行されると、前記コンピュータプログラムは、請求項１乃至８のいずれか一項に記載の方法を実施する、記憶媒体。
【請求項３４】
記憶媒体であって、前記記憶媒体はコンピュータプログラムを格納し、１つ以上のプロセッサにより実行されると、前記コンピュータプログラムは、請求項１７乃至２３のいずれか一項に記載の方法を実施する、記憶媒体。
【請求項３５】
コンピュータ可読記録媒体に記録されたプログラムであって、前記プログラムは実行されると、コンピュータに請求項１乃至８のいずれか一項に記載の方法を実行可能にさせる、プログラム。
【請求項３６】
コンピュータ可読記録媒体に記録されたプログラムであって、前記プログラムは実行されると、コンピュータに請求項１７乃至２３のいずれか一項に記載の方法を実行可能にさせる、プログラム。
【手続補正２】
【補正対象書類名】明細書
【補正対象項目名】０００４
【補正方法】変更
【補正の内容】
【０００４】
具体的に、ネットワーク装置は、端末装置のために１又は複数のアップリンク／ダウンリンク帯域幅部分（ＢＷＰ）を構成してよい。ＢＷＰは、システムキャリア帯域幅のサブセットであり、複数の帯域幅部分は周波数ドメインで重なり合ってよい（overlap）。ネットワーク装置は、端末装置（例えば、ユーザ機器（ＵＥ））のために構成した帯域幅部分の中の１つのアップリンク／ダウンリンク帯域幅部分をアクティブにしてよい。ネットワーク装置は、アクティブにしたダウンリンク帯域幅部分で物理ダウンリンク共有チャネル（ＰＤＳＣＨ）及び物理ダウンリンク制御チャネル（ＰＤＣＣＨ）を端末装置へ送信する。端末装置は、アクティブにされたアップリンク帯域幅部分で物理アップリンク共有チャネル（ＰＵＳＣＨ）をネットワーク装置へ送信する。
【手続補正３】
【補正対象書類名】明細書
【補正対象項目名】０００９
【補正方法】変更
【補正の内容】
【０００９】
任意の設計で、前記リソース指示情報はＳ個のビットを含み、前記Ｓ個のビットの各々は、少なくとも１つのリソースブロックが前記端末装置のためであるか否かを示すために使用される。各ビットにより示される前記少なくとも１つのリソースブロックは、周波数ドメインにおいて連続している。
【手続補正４】
【補正対象書類名】明細書
【補正対象項目名】０１１２
【補正方法】変更
【補正の内容】
【０１１２】
第１の任意の設計では、端末装置のための複数のリソースブロックのインデックスは、Ｃｏｍｍｏｎ  ＲＢ  ｉｎｄｅｘに基づき構成される。この任意の設計では、Ｃｏｍｍｏｎ  ＲＢ  ｉｎｄｅｘは、共通インデックス領域のリソースブロックの中で構成された１つ以上のＢＷＰの中のＲＢのインデックスとして使用されてよく、又は新しいＢＷＰ  ＲＢインデックスが、共通インデックス領域のリソースブロックの中で構成された１つ以上のＢＷＰのインデックスとして定められてよく、例えば番号付けがＲＢ０から開始する。しかしながら、端末装置のための複数のリソースブロックのインデックスは、Ｃｏｍｍｏｎ  ＲＢ  ｉｎｄｅｘに基づき構成される。
【手続補正５】
【補正対象書類名】明細書
【補正対象項目名】０１２０
【補正方法】変更
【補正の内容】
【０１２０】
例えば、ＮＲシステムでは、周波数ドメインにおけるＣＯＲＥＳＥＴのＲＢ  ｓｅｔの割り当て粒度は、６個の連続するＲＢである。６個の連続するＲＢより少ないリソースは、ＲＢ  ｓｅｔリソース割り当てのために使用できない。この場合、ｍは６に等しい。
【手続補正６】
【補正対象書類名】明細書
【補正対象項目名】０１２２
【補正方法】変更
【補正の内容】
【０１２２】
別の例では、データチャネル送信では、リソースブロックグループＲＢＧは、物理ダウンリンク共有チャネルＰＤＳＣＨ及び物理アップリンク共有チャネルＰＵＳＣＨのリソース構成の割り当て粒度として使用される。しかしながら、ＲＢＧサイズ（つまり、各ＲＢＧに含まれるＲＢの数）は、ＢＷＰ帯域幅に関連してよい。さらに、異なるＢＷＰは、異なるＲＢＧサイズに対応してよい。ＲＢＧサイズとＢＷＰ帯域幅との間の対応は、ネットワーク装置により決定され又は予め構成されてよい。任意で、対応は、表、例えば表３の形式で提示されてよい。表中の各エントリは、１個のＢＷＰ帯域幅サイズ、例えばＲＢの数に対応する。各エントリは、２個のＲＢＧサイズ構成を含む。したがって、ｍは、ＢＷＰ帯域幅のような関連するパラメータに基づき決定される必要がある。さらに、ＢＷＰが複数のＲＢＧサイズに対応するとき、ネットワーク装置は、さらに、ＲＢＧサイズのうちの１つをｍとして決定し、端末装置に通知する必要がある。通知の方法は、上位レイヤシグナリング、例えばＲＲＣシグナリングであってよい。例えば、ｍは１、２、４、８、３、６、又は１２であってよい。
表３
【表３】
2021502758.tif 000071
【手続補正７】
【補正対象書類名】明細書
【補正対象項目名】０２０７
【補正方法】変更
【補正の内容】
【０２０７】
例えば、共通インデックス領域の先頭リソースブロックのＲＢインデックスは０であり、ＢＷＰの先頭リソースブロックのインデックスは共通インデックス領域において（０＋第２オフセット）である。
【手続補正８】
【補正対象書類名】明細書
【補正対象項目名】０２０８
【補正方法】変更
【補正の内容】
【０２０８】
ＢＷＰの中の周波数ドメインリソースは、共通インデックス領域の中の周波数ドメインリソースの一部又は全部のリソースブロックである。これに基づき、第２オフセットは、ＢＷＰの先頭リソースブロックの高周波数方向における共通インデックス領域の先頭リソースブロックに対するオフセットである。
【国際調査報告】
2021502758.tif 000072
2021502758.tif 000073
2021502758.tif 000074
2021502758.tif 000075